(57)【特許請求の範囲】
【請求項１】
４本の枠部材が４個のコーナー部材により組み合わされて長方形状に構成され、
一方の面が張設治具に取付られ、他方の面がスクリーンが接着される平坦な面であり、
前記枠部材の端部は、その長手方向に対して４５°よりも小さい角度で傾斜した面とされてコーナー内側に間隙が形成され、
前記枠部材の傾斜した端部には嵌挿孔が形成され、
前記コーナー部材はＬ字形に直交する２個の舌片からなり、
前記舌片は前記俵挿孔に摺動可能に嵌挿され、
たことを特徴とする、スクリーン張設枠。
【請求項２】
４本の枠部材が４個のコーナー部材により組み合わされて長方形状に構成され、
一方の面が張設治具に取付られ、他方の面がスクリーンが接着される平坦な面であり、
前記枠部材の端部は、その長手方向に対して４５°で傾斜した面であり、
前記枠部材の傾斜した端部には嵌挿孔が形成され、
前記コーナー部材はＬ字形に直交する２個の舌片からなり、前記舌片は前記嵌挿孔に摺動可能に俵挿され、
前記各々の傾斜した端部の間に、弾性体が嵌挿されている、ことを特徴とする、スクリーン張設枠。
【請求項３】
前記弾性体が、天然ゴムあるいは合成ゴムであることを特徴とする、請求項２のスクリーン張設枠。
【請求項４】
前記弾性体が、コイルスプリングであることを特徴とする、請求項２のスクリーン張設枠。
【請求項５】
前記弾性体が、リーフスプリングであることを特徴とする、請求項２のスクリーン張設枠。
【請求項６】
４本の枠部材が４個のコーナー部材により組み合わされて長方形状に構成され、
一方の面が張設治具に取付られ、他方の面がスクリーンが接着される平坦な面であり、
前記枠部材の端部は、その長手方向に対して直角な面であり、
前記枠部材の端部には嵌挿孔が形成され、
前記コーナー部材は上面が正方形である本体に２個の舌片が直交して設けられ、
前記舌片は前記俵挿孔に摺動可能に嵌挿されたスクリーン張設枠であって、
前記各々の端部と前記本体との間に、弾性体が嵌挿されている、ことを特徴とする、スクリーン張設枠。
【請求項７】
前記弾性体が天然ゴムあるいは合成ゴムである、ことを特徴とする、請求項６のスクリーン張設枠。
【請求項８】
前記弾性体がコイルスプリングである、ことを特徴とする、請求項６のスクリーン張設枠。
【請求項９】
前記弾性体がリーフスプリングである、ことを特徴とする、請求項６のスクリーン張設枠。
【発明の詳細な説明】
【技術分野】
【０００１】
本発明は、印刷配線板製造に、シートあるいはメッシュ形状であるスクリーン印刷用スクリーンが張設され、スクリーンの張力を調節するスクリーン張設治具に取り付けられるスクリーン張設枠に関する。
【背景技術】
【０００２】
電子・電気装置で一般的に使用されているサブトラクティブ法（Subtractive process）印刷配線板は、絶縁基板に貼り付けられた銅箔の不要部分を除去して導電パターンが形成され、この導電パターンに能動素子及び受動素子が半田付け等の手段で固定されて構成される。
【０００３】
サブトラクティブ法では、銅箔が貼り付けられたガラスエポキシ板等の絶縁基板に孔開け後、銅箔の不要部分を印刷とエッチングにより除去して導電パターンを形成する。半田づけがリフロー法により行われる場合には、さらに必要箇所にクリーム半田が印刷される。
【０００４】
スクリーン印刷では金属や樹脂で編んだメッシュ状のシート又は金属や樹脂製のシートであるスクリーン版に画像孔を形成して、枠にシートを皺なく均一のテンションで張設したスクリーン版を使用する。
【０００５】
印刷されるパターンは、ステンレス等の金属薄板に貫通孔として形成されたメタルマスクをスクリーン張設枠に緊張させて張設した状態で、スキージを用いて貫通孔を経由してインクを絶縁基板に移行させることにより、導電パターンあるいは半田パターンが形成される。
【０００６】
このときに被印刷物とスクリーン版が密着していないと、隙間からインクがはみ出してニジミが生じて正確な印刷が出来ない。
【０００７】
被印刷物は、理想的には平面であるが、時として歪や、うねりがあり、被印刷物にスクリーン版を密着させる為にスキージには柔軟性のあるものを選択し、スクリーンの張りを緩めにする。
【０００８】
しかし、スクリーンはなるべく強く張設する必要があるため、剛性のある丈夫なスクリーン枠を準備して、シートを四方向から強く引っ張り、シート素材の伸縮性を利用し、その反発力を利用して張設している。
【０００９】
金属メッシュを使用する場合は伸縮性は少ないが若干の伸縮性があるためそのままで張設が可能である。しかし、伸縮性の無い金属のシートを使用する場合は、中心の金属シートの外周に伸縮性がある樹脂シートを接続して張設している。
【００１０】
スクリーンはスクリーン張設枠に取り付けられた状態で使用されるが、たるみがあると、スキージによって擦られた時に、印刷パターンの位置がずれたり、印刷パターンが歪んだりする。このような事態を防止するために、スクリーンは印刷時には常に張力が付与され所定の緊張度を与えておく必要がある。
【００１１】
スクリーン張設枠には枠の大きさが固定されスクリーンの張力が一定である緊張度固定枠と、枠の大きさが可変でありスクリーンの張力を変化させることができる緊張度可変枠があるが、いずれにしてもスクリーンに張力を付与する枠には強度が要求されるため、頑丈で大きなものとならざるを得ない。また、枠の大きさが可変である緊張度可変枠は可変機構を有するため高価である。
【００１２】
スクリーンは印刷の前後は印刷される配線基板から離れている必要があり、スキージを用いて印刷を行う際には配線基板に密着している必要がある。そのためにスクリーンは伸縮できる必要がある。しかしながら、メタルマスクは伸縮しないため、ポリエステル糸あるいはステンレス線等からなるメッシュに貼り付けてスクリーンを形成して使用するのが一般的である。一方、メタルマスクをそのまま使用するものもあり、その場合はメタルマスクの取り付け部あるいはスクリーン張設枠に何らかの伸縮機構が設けられる。
【００１３】
メッシュを用いたスクリーンのスクリーン張設枠への取り付けは接着剤を用いて行われることが多く、そのようなスクリーン張設枠はスクリーンが不要にならない限りそのスクリーンが取り付けられたままである。そのため、不使用時には重く嵩張るスクリーンを保管あるいは輸送しなければならない。
【００１４】
メッシュを用いたスクリーンの端部を巻き付けあるいは挟み込み等の手段により取り付ける構造のスクリーン張設枠がある。このスクリーン張設枠の場合には不使用時にスクリーンをスクリーン張設枠から取り外して保管あるいは輸送することができるが、スクリーンが薄いため精密に形成された印刷パターンを傷つけることなく保管あるいは輸送することは困難である。
【００１５】
このような状況に鑑みて、本発明者はスクリーン張設枠を張力調整機構を有するスクリーン張設治具と張力調整機構を有しない単純な構造のスクリーン張設枠とに分離し、これらを相互に結合する契合機構を設け、スクリーンをスクリーン張設枠に取り付ける、スクリーン印刷装置を特願２００２−５５６０１０号（再公表特許ＷＯ２００２／０５５３０４号公報参照）において提案した。
【００１６】
図１により、このスクリーン印刷装置を説明する。
（Ａ）に１で示したのはスクリーン張設治具であり、このスクリーン張設治具１に契合溝４を有するスクリーン張設枠２を取り付ける。スクリーン張設枠２には金属板又は樹脂板であるシートに導電パターンが貫通孔として形成されたシートあるいはメッシュに図示しない導電パターンが貫通孔で形成されたシートを貼り付けたメッシュであるスクリーン３を取り付けられる。このスクリーン張設治具１を拡縮することにより、スクリーン３に適切な張力が付与される。
スクリーン張設枠２は４本の平板状あるいは方形管状の枠材を溶接等の手段で結合して構成されている。
【００１７】
以後の説明において、スクリーン張設枠を構成する各枠材の長手方向の長さを「長さ」、外側から内側に向かう長さを「巾」、シートが貼り付けられる面とシートが取り付けられない面との長さを「厚さ」と表現する。
【００１８】
（Ｂ）及び（Ｃ）により、スクリーン張設枠２のスクリーン張設治具１への取り付け構成を説明する。（Ｂ）に示すのはスクリーン張設枠２がスクリーン張設治具１に取り付けられる前の状態、（Ｃ）に示すのはスクリーン張設枠２がスクリーン張設治具１に取り付けられた状態である。
【００１９】
スクリーン張設枠２の取り付け側面にはスクリーン張設治具の長手方向に沿って契合溝４が形成されており、スクリーン張設治具１の取り付け側面にはスクリーン張設治具の長手方向に沿って契合部材５が形成されている。
【００２０】
契合溝４に契合部材５が契合された状態でスクリーン張設治具１が図示矢印の方向に拡縮されることにより、スクリーン３に対する張力が調整される。
このスクリーンを用い、図示しないスキージを用いて貫通孔を経由してインクを移行させることにより導電パターンを形成する。
【００２１】
スクリーンを不使用時に保管するときにはスクリーン張設枠２をスクリーン張設治具１に取り付けた状態で保管するのが最も理想的であるが、拡縮機構を有するスクリーン張設治具１は高価であるばかりでなく、嵩張るのでスクリーンを取り付けたスクリーン張設枠２をスクリーン張設治具１に取り付けた状態で保管あるいは輸送することは、非効率的である。
【００２２】
スクリーンは、スクリーン張設枠２に接着等の固着手段により取り付けられた状態で、スクリーン張設治具１に取り付けられ、スクリーン張設治具１によって張力が付与されるが、スクリーン張設治具１に取り付けられていない状態ではたるみ等が発生し変形することがあるので、スクリーン張設枠２に取り付けられているだけの状態でもある程度の緊張度を有していることが望ましい。
【００２３】
スクリーン張設枠を用い、スクリーンをスクリーン張設治具ではなくスクリーン張設枠に取り付け、このスクリーン張設枠をスクリーン張設治具に取り付け、スクリーン張設治具の大きさを可変とすることによりスクリーンの緊張度を調節するスクリーン印刷装置はＷＯ２００２／０５５３０４号公報の他に，本発明者による特開２００６−２１２９５５号公報，特開２００６−４４１８０号公報及び特開２００８−１０１０号公報等に示されている。なお、特開２０００−１５７７７号公報にも、スクリーン張設枠を使用するスクリーン印刷装置が記載されている。
【００２４】
図２及び図３に、特開２００６−２１２９５５号公報及び特開２００８−１０１０号公報に示された先行技術のスクリーン張設枠の構成を示す。
これらの図において、（Ａ）はスクリーン張設枠の全体図、（Ｂ）は（Ａ）に鎖線円Ｂで示した部分の拡大分解図、（Ｃ）は（Ｂ）に鎖線Ｃで示した部分の断面図である。
【００２５】
図２に示したスクリーン張設枠１０は平行する２本の枠部材１１ａ，１１ｃとこれらの枠部材と直交して配置され、同様に平行である２本の枠部材１１ｂ，１１ｄ、これらの４本の枠部材を結合する４個のコーナー部材１３ａ，１３ｂ，１３ｃ，１３ｄから構成されている。
【００２６】
４本の枠部材１１ａ，１１ｂ，１１ｃ，１１ｄには各々スクリーン張設治具に形成された契合部材が契合する契合溝１２ａ，１２ｂ，１２ｃ，１２ｄが形成されている。
【００２７】
４本の枠部材１１ａ，１１ｂ，１１ｃ，１１ｄは同一の断面形状を有しており、（Ｂ）に代表例として示す枠部材１１ａは内部に嵌挿孔１５ａが形成され、一方の面にスクリーン張設治具の契合部材が契合される契合溝１２ａが形成され、反対側の面はスクリーンを接着するために平面とされている。
また、４本の枠部材１１ａ，１１ｂ，１１ｃ，１１ｄの両端はその長さ方向に対して９０°の面を有している。
【００２８】
４個のコーナー部材１３ａ，１３ｂ，１３ｃ，１３ｄの断面は同一形状を有しており、（Ｂ）に代表例として示すコーナー部材１３ａは上面が正方形である本体１４ａに２個の舌片１７ａ及び１７ｂが直交して設けられ、舌片１７ａ及び１７ｂの断面形状は各々枠部材１１ａの嵌挿孔１６ａ及び枠部材１１ｂの嵌挿孔１６ｂに各々嵌挿可能かつ摺動可能な断面形状を有している。
【００２９】
舌片１６aが枠部材１１ａの嵌挿孔１５ａに矢印方向に嵌挿され、舌片１６ｂが枠部材１１ｂの嵌挿孔１５ｂに矢印方向に嵌挿され、このようにして４本の枠部材１１ａ，１１ｂ，１１ｃ，１１ｄと４個のコーナー部材１３ａ，１３ｂ，１３ｃ，１３ｄが組み立てられることによりスクリーン張設枠１０が構成される。
【００３０】
スクリーン張設枠１０にスクリーンを張設し、張設治具の契合部材を契合溝１２ａ，１２ｂ，１２ｃ，１２ｄに契合させ、張設治具を拡縮すると嵌挿孔に嵌挿された舌片が嵌挿孔内を摺動することにより、スクリーン張設枠１０が伸縮し、スクリーンに対する張力が付与される。
【００３１】
図３に示した  スクリーン張設枠２０は平行する２本の枠部材２１ａ，２１ｃとこれらの枠部材と直交して配置され、同様に平行である２本の枠部材２１ｂ，２１ｄ、これらの４本の枠部材を結合する図示しない４個のコーナー部材２３ａ，２３ｂ，２３ｃ，２３ｄから構成されている。
【００３２】
４本の枠部材２１ａ，２１ｂ，２１ｃ，２１ｄには各々スクリーン張設治具に形成された契合部材が契合する契合溝２２ａ，２２ｂ，２２ｃ，２２ｄが形成されている。
【００３３】
４本の枠部材２１ａ，２１ｂ，２１ｃ，２１ｄは全て同一の断面形状を有しており、（Ｂ）に代表例として示す枠部材２１ａはその内部に嵌挿孔２５ａが形成され、一方の面にスクリーン張設治具の契合部材が契合される契合溝２２ａが形成され、その反対側の面はスクリーンを接着するために平面とされている。
また、４本の枠部材２１ａ，２１ｂ，２１ｃ，２１ｄの両端はその長さ方向に対してスクリーン張設枠２０の内側に傾斜した、この例では４５°、の傾斜面を有している。
【００３４】
４個のコーナー部材２３ａ，２３ｂ，２３ｃ，２３ｄは全て同一形状を有しており、（Ｂ）に代表例として示すコーナー部材２３ａは断面形状が嵌挿孔２５ａ及び２５ｂに各々嵌挿可能かつ摺動可能な断面形状を有する２個の直交する舌片２６ａ及び２６ｂから構成されている。
【００３５】
舌片２６aが枠部材２１ａの嵌挿孔２５ａに矢印方向に嵌挿され、舌片２６ｂが嵌挿孔２５ｂに矢印方向に嵌挿され、このようにして４本の枠部材２１ａ，２１ｂ，２１ｃ，２１ｄと４個のコーナー部材２２ａ，２２ｂ，２２ｃ，２２ｄが組み立てられることによりスクリーン張設枠２０が構成される。
【００３６】
スクリーン張設枠２０にスクリーンを張設し、スクリーン張設治具の契合部材を契合溝２２ａ，２２ｂ，２２ｃ，２２ｄに契合させ、スクリーン張設治具を伸縮させると嵌挿孔に嵌挿された舌片が嵌挿孔内を摺動することによりスクリーン張設枠２０が拡縮し、スクリーンに対する張力が付与される。
【先行技術文献】
【特許文献】
【００３７】
【特許文献１】特開２０００−１５７７７号公報
【特許文献２】ＷＯ２００２／０５５３０４号公報
【特許文献３】特開２００６−２１２９５５号公報
【特許文献４】特開２００６−４４１８０号公報
【特許文献５】特開２００８−１０１０号公報
【発明の概要】
【発明が解決しようとする課題】
【００３８】
これら先行技術のスクリーン張設枠は、スクリーンを接着して固着するときにスクリーンの張力を付与することによりある程度の張力をスクリーンに付与しておくことができるが、張力を付与する機能を有していないため、十分な張力を付与することはできない。そのため、高価なスクリーン治具を有効活用し、保管・搬送の際にスペースを節約するために嵩張るスクリーン張設治具からスクリーン張設枠を取り外すと、スクリーンにたるみが生じ、スクリーンが変形するおそれがある。
本出願に係る発明は、このような事態を防止することができるスクリーン張設枠を提供することを課題とする。
【課題を解決するための手段】
【００３９】
これらの課題を解決するための発明の概要構成は次のようなものである。
本出願で提供する発明ではスクリーン張設枠を構成する４本の枠部材を直角に接続する接続部の内側及び／又は外側に切り溝を形成して接続部の角度を可変とし、枠部材を内側又は外側に変形させることによりスクリーン張設枠の大きさを可変とする。
【００４０】
スクリーン張設治具のような拡縮機能を有する治具により弾性体が装着されたスクリーン張設枠を縮小し、その状態でスクリーンをスクリーン張設枠に取り付け、接着等の固着作業が完了した時点で、スクリーン張設治具の拡縮量を最適なものとし、スクリーン印刷を行う。
【００４１】
スクリーン印刷機にスクリーン張設枠を拡張する機能を持たせ、その拡張機能によりスクリーン張設枠を拡縮することも可能である。
【００４２】
また、発明の課題を解決するために、本出願で提供する発明では４本の枠部材の各々の接続部に枠片の端部に拡張力を与えるように各枠部材の接合部に間隙を設け、あるいは弾性体を装着することにより張設枠に柔軟性を与える。
【００４３】
挿入される弾性体は天然ゴムあるいは合成ゴムのような中実の弾性体あるいは板バネあるいはコイルバネのような非中実のバネが使用可能であり、接合部に設ける間隙にさらに弾性体を装着することもできる。
【００４４】
スクリーン張設治具のような拡縮機能を有する治具により弾性体が装着されたスクリーン張設枠を縮小し、その状態でスクリーンをスクリーン張設枠に取り付け、接着等の固着作業が完了した時点で、スクリーン張設治具の拡縮量を最適なものとし、スクリーン印刷を行う。
【００４５】
スクリーン印刷機にスクリーン張設枠を縮小させる機能を持たせ、その縮小機能によりスクリーン張設枠を縮小させることも可能である。
【００４６】
前記課題を解決するための具体的な構成を、以下（１）〜（３８）に述べる。
【００４７】
（１）断面が四辺形の４本の枠部材から構成され、一方の面にスクリーンが取り付けられ他方の面が拡縮機能を有するスクリーン張設治具に取り付けられて使用される長方形形状を有するスクリーン張設枠であって、
前記４本の枠部材の接合部が柔軟かつ弾力性を有することを特徴とする、スクリーン張設枠。
【００４８】
（２）前記４本の枠部材が前記接合部で一体に結合され、
前記結合部が柔軟かつ弾力性を有する、前記（１）のスクリーン張設枠。
【００４９】
（３）前記４本の枠部材が中実体である、前記（２）のスクリーン張設枠。
【００５０】
（４）前記結合部の巾方向に切り溝が形成された、前記（３）のスクリーン張設枠。
【００５１】
（５）前記結合部の外角部と内角部を結ぶ方向に切り溝が形成された、前記（３）のスクリーン張設枠。
【００５２】
（６）前記結合部の両面に厚さ方向の溝が形成された、前記（３）のスクリーン張設枠。
【００５３】
（７）前記厚さ方向の溝が前記枠部材の巾方向に形成された、前記（６）のスクリーン張設枠。
【００５４】
（８）前記厚さ方向の溝が前記結合部の外角部と内角部を結ぶ方向に形成された、前記（６）のスクリーン張設枠。
【００５５】
（９）前記結合部の厚さ方向に貫通孔が形成された、前記（３）のスクリ−ンスクリーン張設枠。
【００５６】
（１０）前記貫通孔が前記結合部の外角部と内角部を結ぶ方向に配列された、前記（９）のスクリ−ンスクリーン張設枠。
【００５７】
（１１）前記貫通孔が前記枠部材の巾方向に配列された、前記（９）のスクリーン張設枠。
【００５８】
（１２）前記４本の枠部材が中空体である、前記（１）のスクリーン張設枠。
【００５９】
（１３）前記結合部の厚さ方向に切り込み部が形成された、前記（１２）のスクリーン張設枠。
【００６０】
（１４）前記切り込み部が前記枠部材の長手方向に垂直な方向に形成された、前記（１３）のスクリーン張設枠。
【００６１】
（１５）前記切り込み部が前記結合部の外角部と内角部を結ぶ方向に形成された、前記（１３）のスクリーン張設枠。
【００６２】
（１６）前記切り込み部が前記枠部材の巾方向に形成された、前記（１２）のスクリーン張設枠。
【００６３】
（１７）前記切り込み部が前記結合部の外角部と内角部を結ぶ方向に形成された、前記（１６）のスクリーン張設枠。
【００６４】
（１８）前記結合部に前記枠部材の厚さ方向に向かう貫通孔が形成された、前記（１２）のスクリ−ンスクリーン張設枠。
【００６５】
（１９）前記貫通孔が前記結合部の外角部と内角部を結ぶ方向に配列された、前記（１８）のスクリ−ンスクリーン張設枠。
【００６６】
（２０）前記貫通孔が前記枠部材の長手方向に垂直な方向に配列された、前記（１８）のスクリーン張設枠。
【００６７】
（２１）前記貫通孔が前記枠部材の巾方向に配列された、前記（１８）のスクリーン張設枠。
【００６８】
（２２）前記４本の枠部材がスクリーンが取り付けられる平面を有する中空体とスクリーンが取り付けられな平面を有する中空体とからなる２層の中空体である、前記（１）のスクリーン張設枠。
【００６９】
（２３）前記スクリーンが取り付けられる平面を有する中空体の結合部の厚さ方向に切り込み部が形成された、前記（２２）のスクリーン張設枠。
【００７０】
（２４）前記切り込み部が、前記結合部の巾方向に形成された、前記（２３）のスクリーン張設枠。
【００７１】
（２５）前記２層の中空体の上半分の中空体の前記枠辺の厚さ方向の壁面に切り込み部が形成された、前記（２２）のスクリーン張設枠。
【００７２】
（２６）前記２層の中空体の上半分の中空体の前記枠辺の厚さ方向の壁面に貫通孔が形成された、前記（２２）のスクリーン張設枠。
【００７３】
（２７）前記４本の枠部材が別体であり、隣接する枠部材がコーナ部材により結合され、前記４本の枠部材と前記４個のコーナー部材との結合部が柔軟かつ弾力性を有する、前記（１）のスクリーン張設枠。
【００７４】
（２８）前記４本の枠部材の隣接する接続部の端面は前記４本の枠部材の長手方向に傾斜した面であり、前記各々の傾斜した面の間に隙間が形成されている、前記（２７）のスクリーン張設枠。
【００７５】
（２９）前記４本の枠部材の隣接する接続部の端面は前記４本の枠部材の長手方向に傾斜した面であり、前記各々の傾斜した面の間に弾性体が嵌挿されている、前記（２７）のスクリーン張設枠。
【００７６】
（３０）前記弾性体が天然ゴムあるいは合成ゴムである、前記（２９）のスクリーン張設枠。
【００７７】
（３１）前記弾性体がコイルスプリングである、前記（２９）のスクリーン張設枠。
【００７８】
（３２）前記弾性体がリーフスプリングである、前記（２９）のスクリーン張設枠。
【００７９】
（３３）前記４本の枠部材の隣接する接続部の端面は前記４本の枠部材の長手方向に直角な面であり、前記コーナー部材が直方体形状であり、前記枠部材の直角な面と前記コーナー部材との間に弾性体が嵌挿されている、前記（２７）のスクリーン張設枠。
【００８０】
（３４）前記弾性体が天然ゴムあるいは合成ゴムである、前記（３３）のスクリーン張設枠。
【００８１】
（３５）前記弾性体がコイルスプリングである、前記（３３）のスクリーン張設枠。
【００８２】
（３６）前記弾性体がリーフスプリングである前記（３３）のスクリーン張設枠。
【００８３】
（３７）スクリーン張設枠を取り付ける機構及び前記取り付けられたスクリーン張設枠を拡縮する機構を有することを特徴とする、スクリーン印刷機。
【図面の簡単な説明】
【００８４】
【図１】従来のスクリーン張設治具、スクリーン張設枠の説明図。
【図２】従来のスクリーン張設枠の構造説明図。
【図３】従来の他のスクリーン張設枠の構造説明図。
【図４】実施例１のスクリーン張設枠の構造説明図。
【図５】実施例１のスクリーン張設枠の機能説明図。
【図６】実施例２のスクリーン張設枠の構造説明図。
【図７】実施例２のスクリーン張設枠の機能説明図。
【図８】実施例３のスクリーン張設枠の構造説明図。
【図９】実施例４のスクリーン張設枠の構造説明図。
【図１０】実施例５のスクリーン張設枠の構造説明図。
【図１１】実施例６のスクリーン張設枠の構造説明図。
【図１２】実施例７のスクリーン張設枠の構造説明図。
【図１３】実施例８のスクリーン張設枠の構造説明図。
【図１４】実施例９のスクリーン張設枠の構造説明図。
【図１５】実施例１０のスクリーン張設枠の構造説明図。
【図１６】実施例１１のスクリーン張設枠の構造説明図。
【図１７】実施例１２のスクリーン張設枠の構造説明図。
【図１８】実施例１３のスクリーン張設枠の構造説明図。
【図１９】実施例１４のスクリーン張設枠の構造説明図。
【図２０】実施例１５のスクリーン張設枠の構造説明図。
【図２１】実施例１６のスクリーン張設枠の構造説明図。
【図２２】実施例１７のスクリーン張設枠の構造説明図。
【図２３】実施例１８のスクリーン張設枠の構造説明図。
【図２４】実施例１９のスクリーン張設枠の構造説明図。
【図２５】実施例２０のスクリーン張設枠の構造説明図。
【図２６】実施例２１のスクリーン張設枠の構造説明図。
【図２７】実施例２０のスクリーン張設枠の機能説明図。
【図２８】実施例２１のスクリーン張設枠の構造説明図。
【図２９】実施例２１のスクリーン張設枠の機能説明図。
【図３０】実施例２２のスクリーン張設枠の構造説明図。
【図３１】実施例２２のスクリーン張設枠の機能説明図。
【発明を実施するための形態】
【００８５】
以下、この出願に係る発明を実施するための形態を図を参照して説明する。
実施例に示すスクリーン張設枠はスクリーンが調節された状態で拡縮機能を有するスクリーン張設治具に取り付けられて使用される長方形形状を有するスクリーン張設枠であり、平行に配置され同じ長さを有する第１の枠部材及び第３の枠部材，平行に配置され同じ長さを有する第２の枠部材及び第４の枠部材から構成され、第１，第２，第３，第４の枠部材の断面は四辺形であり、第１，第２，第３，第４の枠部材の一方の面はスクリーンが取り付けられる平面であり、第１の枠部材と第２の枠部材，第２の枠部材と第３の枠部材，第３の枠部材と第４の枠部材，第４の枠部材と第１の枠部材が結合されることにより長方形のスクリーン張設枠が形成され、スクリーン張設枠のコーナー部が柔軟性かつ弾力性を有するように構成されている。
【００８６】
図４〜図２５に示す実施例１〜２０のスクリーン張設枠は枠を構成する４本の枠部材が一体に形成されており、図２６〜図３１に示す実施例２０〜２２のスクリーン張設枠は枠を構成する４本の枠部材が別体に形成されている。
【００８７】
図４〜図１５で説明する実施例１〜実施例１２では、中実体スクリーン張設枠の結合部の柔軟性を枠部材の結合部に巾方向に形成された切り溝により得る。
【実施例１】
【００８８】
図４に実施例１の構成を示し、図５により実施例１の機能を説明する。
図４において、（Ａ）はスクリーン張設枠３０の全体図、（Ｂ）は（Ａ）に鎖線円Ｂで示した部分の拡大分解図、（Ｃ）は（Ｂ）に鎖線Ｃで示した部分の断面図である。
【００８９】
全体図（Ａ）及び拡大分解図（Ｂ）に示すとおり、スクリーン張設枠３０は４本の枠部材３１ａ，３１ｂ，３１ｃ，３１ｄが長方形を形成するように組み合わされ、溶接等の手段により固定的に結合されることにより構成されている。
【００９０】
４本の枠部材３１ａ，３１ｂ，３１ｃ，３１ｄには各々スクリーン張設治具に形成された契合部材が契合する契合溝３２ａ，３２ｂ，３２ｃ，３２ｄが形成されている。
【００９１】
枠部材３１ａと枠部材３１ｂの結合部の内側に内側の角から外側の角に向かう切り溝３３ａが、枠部材３１ｂと枠部材３１ｃの結合部の内側に内側の角から外側の角に向かう巾狭の切り溝３３ｂが、枠部材３１ｃと枠部材３１ｄの結合部の内側に内側の角から外側の角に向かう巾狭の切り溝３３ｃが、枠部材３１ｄと枠部材３１ａの結合部の内側に内側の角から外側の角に向かう切り溝３３ｄが形成されている。
【００９２】
４本の枠部材３１ａ，３１ｂ，３１ｃ，３１ｄは全て同一の断面形状を有しており、（Ｃ）に断面図を示す枠部材３１ａの一方の面にスクリーン張設治具の契合部材が契合される契合溝３２ａが形成され、対向する面はスクリーンを接着するために平面とされている。
【００９３】
スクリーン張設枠３０にスクリーンを張設し、張設治具の契合部材を契合溝３２ａ，３２ｂ，３２ｃ，３２ｄに契合させ、張設治具を伸縮させると、スクリーン張設枠３０が拡縮し、スクリーンに対する張力が調整される。
【００９４】
図５により、スクリーン張設枠３０の機能を説明する。
この図において、４本の枠部材３１ａ，３１ｂ，３１ｃ，３１ｄを結合して構成されたスクリーン張設枠３０は図示しないスクリーン張設治具，クランプ，バイス等の道具を用いて黒矢印方向に押圧されている。そのため、切り溝３３ａ，３３ｂ，３３ｃ．３３ｄの開放端が縮小されることにより、枠部材３１ａ，３１ｂ，３１ｃ，３１ｄは内側に撓んでスクリーン張設枠１０は小さくなり、彎曲枠部材３１ａ′，３１ｂ′，３１ｃ′，３１ｄ′からなる縮小されたスクリーン張設枠３０′となる。
【００９５】
このような状態にして、スクリーンを接着等の手段で縮小されたスクリーン張設枠３０′に固着する。
【００９６】
スクリーンの縮小されたスクリーン張設枠３０′への固着が完全になった状態において、縮小されたスクリーン張設枠３０′へのスクリーン張設治具，クランプ，バイス等による押圧力を開放する。
【００９７】
縮小されたスクリーン張設枠３０′への押圧力が開放されると、内側に撓んだ彎曲枠部材３１ａ′，３１ｂ′，３１ｃ′，３１ｄ′はいずれも圧縮されない状態の形状に戻ろうとし、切り溝３３ａ′，３３ｂ′，３３ｃ′，３３ｄ′の開放端が拡開されることにより、縮小したスクリーン張設枠３０′が拡張され、拡張したスクリーン張設枠に張設されているスクリーンに張力が付与される。
【００９８】
この張力は張設治具を用いない状態でも付与されているため、スクリーンを単にスクリーン張設枠に張設した状態でもスクリーンを緊張した状態にしておくことができ、スクリーンがたるむことはない。
【００９９】
このスクリーン張設枠は、この機能の説明から明らかなように、張設治具を用いない状態でもスクリーンに張力を付与することができるため、スクリーン張設治具を使用せずスクリーン張設枠単独でもスクリーン印刷を行うことができる。
【０１００】
切り溝３３ａ，３３ｂ，３３ｃ，３３ｄ内に天然ゴムあるいは合成ゴムのような中実の弾性体あるいは板バネあるいはコイルバネのような非中実のバネを挿入して開放端の保護及び弾性を補足することも可能である。
【実施例２】
【０１０１】
実施例１に変更を加えた実施例２を図６に示し、図７により実施例２の機能を説明する。
この図において、（Ａ）はスクリーン張設枠４０の全体図、（Ｂ）は（Ａ）に鎖線円Ｂで示した部分の拡大分解図、（Ｃ）は（Ｂ）に鎖線Ｃで示した部分の断面図である。
【０１０２】
全体図（Ａ）及び拡大分解図（Ｂ）に示すとおり、スクリーン張設枠４０は４本の枠部材４１ａ，４１ｂ，４１ｃ，４１ｄが長方形を形成するように組み合わされ、溶接等の手段により固定的に結合されることにより構成されている。
【０１０３】
４本の枠部材４１ａ，４１ｂ，４１ｃ，４１ｄには各々スクリーン張設治具に形成された契合部材が契合する契合溝４２ａ，４２ｂ，４２ｃ，４２ｄが形成されている。
【０１０４】
枠部材４１ａと枠部材４１ｂの結合部の内側に内側の角から外側の角に向かう斜めの斜めの切り溝４３ａが、枠部材４１ｂと枠部材４１ｃの結合部の内側に内側の角から外側の角に向かう巾狭の斜めの切り溝４３ｂが、枠部材４１ｃと枠部材４１ｄの結合部の内側に内側の角から外側の角に向かう巾狭の斜めの切り溝４３ｃが、枠部材４１ｄと枠部材４１ａの結合部の内側に内側の角から外側の角に向かう巾狭の斜めの切り溝４３ｄが形成されている。
【０１０５】
さらに、枠部材４１ａには枠部材４１ｂとの結合部の外側から内側に垂直に向かう巾狭の切り溝４４ａｂ及び枠部材４１ｄとの結合部の外側から内側に垂直に向かう巾狭の切り溝４４ａｄが、枠部材４１ｂには枠部材４１ａとの結合部の外側から内側に垂直に向かう巾狭の切り溝４４ｂａ及び枠部材４１ｃとの結合部の外側から内側に垂直に向かう巾狭の切り溝４４ｂｃが、枠部材４１ｃには枠部材４１ｂとの結合部の外側から内側に垂直に向かう巾狭の切り溝４４ｃｂ及び枠部材４１ｄとの結合部の外側から内側に垂直に向かう巾狭の切り溝４４ｃｄが、枠部材４１ｄには枠部材４１ｃとの結合部の外側から内側に垂直に向かう巾狭の切り溝４４ｄｃ及び枠部材４１ａとの結合部の外側から内側に垂直に向かう巾狭の切り溝４４ｄａが、各々形成されている。
【０１０６】
４本の枠部材４１ａ，４１ｂ，４１ｃ，４１ｄは全て同一の断面形状を有しており、（Ｃ）に断面図を示す枠部材４１ａの一方の面にはスクリーン張設治具の契合部材が契合される契合溝４２ａが形成され、対向する面はスクリーンを接着するために平面とされている。
【０１０７】
スクリーン張設枠４０にスクリーンを張設し、張設治具の契合部材を契合溝４２ａ，４２ｂ，４２ｃ，４２ｄに契合させ、張設治具を伸縮させると、スクリーン張設枠４０が拡縮し、スクリーンに対する張力が調整される。
【０１０８】
図７により、スクリーン張設枠４０の機能を説明する。
この図において、４本の枠部材４１ａ，４１ｂ，４１ｃ，４１ｄを結合して構成されたスクリーン張設枠４０は図示しないスクリーン張設治具，クランプ，バイス等の道具を用いて黒矢印方向に押圧されている。そのため、切り溝４３ａ，４３ｂ，４３ｃ．４３ｄの開放端が縮小され縮小開放端４３ａ′，４３ｂ′，４３ｃ′，４３ｄ′，４３ａｂ′，４３ｂａ′，４３ｂｃ′，４３ｃｂ′，４３ｃｄ′，４３ｄｃ′，４３ｄａ′，４３ａｄ′となることにより、枠部材４１ａ，４１ｂ，４１ｃ，４１ｄは内側に移動してスクリーン張設枠４０は小さくなり、縮小枠部材４１ａ′，４１ｂ′，４１ｃ′，４１ｄ′からなる縮小されたスクリーン張設枠４０′となる。
【０１０９】
このような状態にして、スクリーンを接着等の手段でスクリーン張設枠４０′に固着する。
【０１１０】
スクリーンの縮小されたスクリーン張設枠４０′への固着が完全になった状態において、縮小されたスクリーン張設枠４０′へのスクリーン張設治具，クランプ，バイス等による押圧力を開放する。
【０１１１】
縮小されたスクリーン張設枠４０′への押圧力が開放されると、内側に移動した枠部材４１ａ′，４１ｂ′，４１ｃ′，４１ｄ′はいずれも圧縮されない状態の形状に戻ろうとし、切り溝４３ａ′，４３ｂ′，４３ｃ′，４３ｄ′，４３ａｂ′，４３ｂａ′，４３ｂｃ′，４３ｃｂ′，４３ｃｄ′，４３ｄｃ′，４３ｄａ′，４３ａｄ′の開放端が拡開されることにより、縮小したスクリーン張設枠４０′が拡張され、拡張したスクリーン張設枠に張設されているスクリーンに張力が付与される。
【０１１２】
この張力は張設治具を用いない状態でも付与されているため、スクリーンを単にスクリーン張設枠に張設した状態でもスクリーンを緊張した状態にしておくことができ、スクリーンがたるむことはない。
【０１１３】
このスクリーン張設枠は、この機能の説明から明らかなように、張設治具を用いない状態でもスクリーンに張力を付与することができるため、スクリーン張設治具を使用せずスクリーン張設枠単独でもスクリーン印刷を行うことができる。
【０１１４】
切り溝４３ａ，４３ｂ，４３ｃ，４３ｄ，４３ａｂ，４３ｂａ，４３ｂｃ，４３ｃｂ，４３ｃｄ，４３ｄｃ，４３ｄａ，４３ａｄ内に天然ゴムあるいは合成ゴムのような中実の弾性体あるいは板バネあるいはコイルバネのような非中実のバネを挿入して開放端の保護及び弾性を補足することも可能である。
【実施例３】
【０１１５】
実施例１に変更を加えた他の実施例３を図８に示す。
この図において、（Ａ）はスクリーン張設枠５０の全体図、（Ｂ）は（Ａ）に鎖線円Ｂで示した部分の拡大分解図、（Ｃ）は（Ｂ）に鎖線Ｃで示した部分の断面図である。
【０１１６】
全体図（Ａ）及び拡大分解図（Ｂ）に示すとおり、スクリーン張設枠５０は４本の枠部材５１ａ，５１ｂ，５１ｃ，５１ｄが長方形を形成するように組み合わされ、溶接等の手段により固定的に結合されることにより構成されている。
【０１１７】
４本の枠部材５１ａ，５１ｂ，５１ｃ，５１ｄには各々スクリーン張設治具に形成された契合部材が契合する契合溝５２ａ，５２ｂ，５２ｃ，５２ｄが形成されている。
【０１１８】
枠部材５１ａと枠部材５１ｂの結合部の内側に内側の角から外側の角に向かう巾狭の斜めの切り溝５３ａが、枠部材５１ｂと枠部材５１ｃの結合部の内側に内側の角から外側の角に向かう巾狭の斜めの切り溝５３ｂが、枠部材５１ｃと枠部材５１ｄの結合部の内側に内側の角から外側の角に向かう巾狭の斜めの切り溝５３ｃが、枠部材５１ｄと枠部材５１ａの結合部の内側に内側の角から外側の角に向かう巾狭の斜めの切り溝５３ｄが形成されている。
【０１１９】
さらに、枠部材５１ａには枠部材５１ｂとの結合部の内側から外側に向かう垂直の切り溝５４ａｂ及び枠部材５１ｄとの結合部の内側から外側に向かう垂直の巾狭の切り溝５４ａｄが、枠部材５１ｂには枠部材５１ａとの結合部の内側から外側に向かう垂直の巾狭の切り溝５４ｂａ及び枠部材５１ｃとの結合部の内側から外側に向かう垂直の巾狭の切り溝５４ｂｃが、枠部材５１ｃには枠部材５１ｂとの結合部の内側から外側に向かう垂直の巾狭の切り溝５４ｃｂ及び枠部材５１ｄとの結合部の内側から外側に向かう垂直の巾狭の切り溝５４ｃｄが、枠部材５１ｄには枠部材５１ｃとの結合部の内側から外側に向かう垂直の巾狭の切り溝５４ｄｃ及び枠部材５１ａとの結合部の内側から外側に向かう垂直の巾狭の切り溝５４ｄａが、各々形成されている。
【０１２０】
４本の枠部材５１ａ，５１ｂ，５１ｃ，５１ｄは全て同一の断面形状を有しており、（Ｃ）に断面図を示す枠部材５１ａの一方の面にはスクリーン張設治具の契合部材が契合される契合溝５２ａが形成され、対向する面はスクリーンを接着するために平面とされている。
【０１２１】
スクリーン張設枠５０にスクリーンを張設し、張設治具の契合部材を契合溝５２ａ，５２ｂ，５２ｃ，５２ｄに契合させ、張設治具を伸縮させると、スクリーン張設枠５０が拡縮し、スクリーンに対する張力が調整される。
【０１２２】
４本の枠部材５１ａ，５１ｂ，５１ｃ，５１ｄを結合して構成されたスクリーン張設枠５０がスクリーン張設治具，クランプ，バイス等の道具を用いて内側方向に押圧されると、内側に形成された切り溝５３ａ，５４ａｂ，５４ｂａ，５３ｂ，５４ｂｃ．５４ｃｂ，５３ｃ．５４ｃｄ，５４ｄｃ，５３ｄ，５４ｄａ．５４ａｄの開放端が縮小されることにより、枠部材５１ａ，５１ｂ，５１ｃ，５１ｄは内側に撓んでスクリーン張設枠５０は小さくなる。
【０１２３】
このような状態で、スクリーンを接着等の手段で縮小されたスクリーン張設枠に固着する。
【０１２４】
スクリーンの縮小されたスクリーン張設枠への固着が完全になった状態において、縮小されたスクリーン張設枠へのスクリーン張設治具，クランプ，バイス等による押圧力を開放する。
【０１２５】
縮小されたスクリーン張設枠への押圧力が開放された結果、内側に撓んだ枠部材はいずれも圧縮されない状態の形状に戻ろうとし、内側に形成された切り溝５３ａ，５４ａｂ，５４ｂａ，５３ｂ，５４ｂｃ．５４ｃｂ，５３ｃ．５４ｃｄ，５４ｄｃ，５３ｄ，５４ｄａ．５４ａｄの開放端が拡開されることにより、枠部材５１ａ，５１ｂ，５１ｃ，５１ｄは外に拡大してスクリーン張設枠５０は拡張され、拡大したスクリーン張設枠に張設されているスクリーンに張力が付与される。
【０１２６】
この張力は張設治具を用いない状態でも付与されているため、スクリーンを単にスクリーン張設枠に張設した状態でもスクリーンを緊張した状態にしておくことができ、スクリーンがたるむことはない。
【０１２７】
切り溝５３ａ，５３ｂ，５３ｃ，５３ｄ，５４ａｂ，５４ｂａ，５４ｂｃ，５４ｃｂ，５４ｃｄ，５４ｄｃ，５４ｄａ，５４ａｄ内に天然ゴムあるいは合成ゴムのような中実の弾性体あるいは板バネあるいはコイルバネのような非中実のバネを挿入して開放端の保護及び弾性を補足することも可能である。
【実施例４】
【０１２８】
実施例１に変更を加えたさらに他の実施例４を図９に示す。
なお、図５あるいは図７に対応する機能説明は省略する。
図９において、（Ａ）はスクリーン張設枠６０の全体図、（Ｂ）は（Ａ）に鎖線円Ｂで示した部分の拡大分解図、（Ｃ）は（Ｂ）に鎖線Ｃで示した部分の断面図である。
【０１２９】
全体図（Ａ）及び拡大分解図（Ｂ）に示すとおり、スクリーン張設枠６０は４本の枠部材６１ａ，６１ｂ，６１ｃ，６１ｄが長方形を形成するように組み合わされ、溶接等の手段により固定的に結合されることにより構成されている。
【０１３０】
４本の枠部材６１ａ，６１ｂ，６１ｃ，６１ｄには各々スクリーン張設治具に形成された契合部材が契合する契合溝６２ａ，６２ｂ，６２ｃ，６２ｄが形成されている。
【０１３１】
枠部材６１ａと枠部材６１ｂの結合部の外側に外側の角から内側の角に向かう巾狭の斜めの切り溝６３ａが、枠部材６１ｂと枠部材６１ｃの結合部の外側に外側の角から内側の角に向かう巾狭の斜めの切り溝６３ｂが、枠部材６１ｃと枠部材６１ｄの結合部の外側に外側の角から内側の角に向かう巾狭の斜めの切り溝６３ｃが、枠部材６１ｄと枠部材６１ａの結合部の外側に外側の角から内側の角に向かう巾狭の斜めの切り溝６３ｄが形成されている。
【０１３２】
さらに、枠部材６１ａには枠部材６１ｂとの結合部の外側から内側に向かう巾狭の斜めの切り溝６４ａｂ及び枠部材６１ｄとの結合部の外側から内側に向かう巾狭の斜めの切り溝６４ａｄが、枠部材６１ｂには枠部材６１ａとの結合部の外側から内側に向かう巾狭の斜めの切り溝６４ｂａ及び枠部材６１ｃとの結合部の外側から内側に向かう巾狭の斜めの切り溝６４ｂｃが、枠部材６１ｃには枠部材６１ｂとの結合部の外側から内側に向かう巾狭の斜めの切り溝６４ｃｂ及び枠部材６１ｄとの結合部の外側から内側に向かう巾狭の斜めの切り溝６４ｃｄが、枠部材６１ｄには枠部材６１ｃとの結合部の外側から内側に向かう巾狭の斜めの切り溝６４ｄｃ及び枠部材６１ａとの結合部の外側から内側に向かう巾狭の斜めの切り溝６４ｄａが、各々形成されている。
【０１３３】
４本の枠部材６１ａ，６１ｂ，６１ｃ，６１ｄは全て同一の断面形状を有しており、（Ｃ）に断面図を示す枠部材６１ａの一方の面にはスクリーン張設治具の契合部材が契合される契合溝６２ａが形成され、対向する面はスクリーンを接着するために平面とされている。
【０１３４】
スクリーン張設枠６０にスクリーンを張設し、張設治具の契合部材を契合溝６２ａ，６２ｂ，６２ｃ，６２ｄに契合させ、張設治具を伸縮させると、スクリーン張設枠６０が拡縮し、スクリーンに対する張力が調整される。
【０１３５】
４本の枠部材６１ａ，６１ｂ，６１ｃ，６１ｄを結合して構成されたスクリーン張設枠６０がスクリーン張設治具，クランプ，バイス等の道具を用いて内側方向に押圧されると。内側に形成された切り溝６３ａ，６３ｂ，６３ｃ．６３ｄの開放端が縮小され、外側に形成された切り溝６４ａｂ，６４ｂａ，６４ｂｃ．６４ｃｂ，６４ｃｄ，６４ｄｃ，６４ｄａ．６４ａｄの開放端が拡開されることにより、枠部材６１ａ，６１ｂ，６１ｃ，６１ｄは内側に撓んでスクリーン張設枠６０は小さくなる。
【０１３６】
このような状態で、スクリーンを接着等の手段で縮小されたスクリーン張設枠に固着する。
【０１３７】
スクリーンの縮小されたスクリーン張設枠への固着が完全になった状態において、縮小されたスクリーン張設枠へのスクリーン張設治具，クランプ，バイス等による押圧力を開放する。
【０１３８】
縮小されたスクリーン張設枠への押圧力が開放された結果、内側に撓んだ枠部材はいずれも圧縮されない状態の形状に戻ろうとし、内側に形成された切り溝６３ａ，６３ｂ，６３ｃ．６３ｄの開放端が拡開され、外側に形成された切り溝４４ａｂ，６４ｂａ，６４ｂｃ．６４ｃｂ，６４ｃｄ，６４ｄｃ，６４ｄａ．６４ａｄの開放端が縮小されることにより、枠部材６１ａ，６１ｂ，６１ｃ，６１ｄは外側に拡開してスクリーン張設枠６０は拡張され、拡大したスクリーン張設枠に張設されているスクリーンに張力が付与される。
【０１３９】
この張力は張設治具を用いない状態でも付与されているため、スクリーンを単にスクリーン張設枠に張設した状態でもスクリーンを緊張した状態にしておくことができ、スクリーンがたるむことはない。
【０１４０】
切り溝６３ａ，６３ｂ，６３ｃ，６３ｄ，６４ａｂ，６４ｂａ，６４ｂｃ，６４ｃｂ，６４ｃｄ，６４ｄｃ，６４ｄａ，６４ａｄ内に天然ゴムあるいは合成ゴムのような中実の弾性体あるいは板バネあるいはコイルバネのような非中実のバネを挿入して開放端の保護及び弾性を補足することも可能である。
【実施例５】
【０１４１】
実施例１に変更を加えたさらに他の実施例５を図１０に示す。
なお、図５あるいは図７に対応する機能説明は省略する。
図１０において、（Ａ）はスクリーン張設枠７０の全体図、（Ｂ）は（Ａ）に鎖線円Ｂで示した部分の拡大分解図、（Ｃ）は（Ｂ）に鎖線Ｃで示した部分の断面図である。
【０１４２】
全体図（Ａ）及び拡大分解図（Ｂ）に示すとおり、スクリーン張設枠７０は４本の枠部材７１ａ，７１ｂ，７１ｃ，７１ｄが長方形を形成するように組み合わされ、溶接等の手段により固定的に結合されることにより構成されている。
【０１４３】
４本の枠部材７１ａ，７１ｂ，７１ｃ，７１ｄには各々スクリーン張設治具に形成された契合部材が契合する契合溝７２ａ，７２ｂ，７２ｃ，７２ｄが形成されている。
【０１４４】
枠部材７１ａと枠部材７１ｂの結合部の外側に外側の角から内側の角に向かう巾狭の斜めの切り溝７３ａが、枠部材７１ｂと枠部材７１ｃの結合部の外側に外側の角から内側の角に向かう巾狭の斜めの切り溝７３ｂが、枠部材７１ｃと枠部材７１ｄの結合部の外側に外側の角から内側の角に向かう巾狭の斜めの切り溝７３ｃが、枠部材７１ｄと枠部材７１ａの結合部の外側に外側の角から内側の角に向かう巾狭の斜めの切り溝７３ｄが形成されている。
【０１４５】
さらに、枠部材７１ａには枠部材７１ｂとの結合部の内側から外側に向かう巾狭の斜めの切り溝７４ａｂ及び枠部材７１ｄとの結合部の内側から外側に向かう巾狭の斜めの切り溝７４ａｄが、枠部材７１ｂには枠部材７１ａとの結合部の内側から外側に向かう巾狭の斜めの切り溝７４ｂａ及び枠部材７１ｃとの結合部の内側から外側に向かう巾狭の斜めの切り溝７４ｂｃが、枠部材７１ｃには枠部材７１ｂとの結合部の内側から外側に向かう巾狭の斜めの切り溝７４ｃｂ及び枠部材７１ｄとの結合部の内側から外側に向かう巾狭の斜めの切り溝７４ｃｄが、枠部材７１ｄには枠部材７１ｃとの結合部の内側から外側に向かう巾狭の斜めの切り溝７４ｄｃ及び枠部材７１ａとの結合部の内側から外側に向かう巾狭の斜めの切り溝７４ｄａが、各々形成されている。
【０１４６】
４本の枠部材７１ａ，７１ｂ，７１ｃ，７１ｄは全て同一の断面形状を有しており、（Ｃ）に断面図を示す枠部材７１ａの一方の面にはスクリーン張設治具の契合部材が契合される契合溝７２ａが形成され、対向する面はスクリーンを接着するために平面とされている。
【０１４７】
スクリーン張設枠７０にスクリーンを張設し、張設治具の契合部材を契合溝７２ａ，７２ｂ，７２ｃ，７２ｄに契合させ、張設治具を伸縮させると、スクリーン張設枠７０が拡縮し、スクリーンに対する張力が調整される。
【０１４８】
４本の枠部材７１ａ，７１ｂ，７１ｃ，７１ｄを結合して構成されたスクリーン張設枠７０がスクリーン張設治具，クランプ，バイス等の道具を用いて内側方向に押圧されると。切り溝７３ａ，７３ｂ，７３ｃ．７３ｄ，７４ａｂ，７４ｂａ，７４ｂｃ．７４ｃｂ，７４ｃｄ，７４ｄｃ，７４ｄａ．７４ａｄの開放端が縮小されることにより、枠部材７１ａ，７１ｂ，７１ｃ，７１ｄは内側に撓んでスクリーン張設枠７０は小さくなる。
【０１４９】
このような状態で、スクリーンを接着等の手段で縮小されたスクリーン張設枠に固着する。
【０１５０】
スクリーンの縮小されたスクリーン張設枠への固着が完全になった状態において、縮小されたスクリーン張設枠へのスクリーン張設治具，クランプ，バイス等による押圧力を開放する。
【０１５１】
縮小されたスクリーン張設枠への押圧力が開放された結果、内側に撓んだ枠部材はいずれも圧縮されない状態の形状に戻ろうとし、切り溝７３ａ，７３ｂ，７３ｃ．７３ｄ，７４ａｂ，７４ｂａ，７４ｂｃ．７４ｃｂ，７４ｃｄ，７４ｄｃ，７４ｄａ．７４ａｄの開放端が拡開されることにより、枠部材７１ａ，７１ｂ，７１ｃ，７１ｄは外側に拡大してスクリーン張設枠７０は拡張され、拡大したスクリーン張設枠に張設されているスクリーンに張力が付与される。
【０１５２】
この張力は張設治具を用いない状態でも付与されているため、スクリーンを単にスクリーン張設枠に張設した状態でもスクリーンを緊張した状態にしておくことができ、スクリーンがたるむことはない。
【０１５３】
切り溝７３ａ，７３ｂ，７３ｃ，７３ｄ，７４ａｂ，７４ｂａ，７４ｂｃ，７４ｃｂ，７４ｃｄ，７４ｄｃ，７４ｄａ，７４ａｄ内に天然ゴムあるいは合成ゴムのような中実の弾性体あるいは板バネあるいはコイルバネのような非中実のバネを挿入して開放端の保護及び弾性を補足することも可能である。
【実施例６】
【０１５４】
図１１に実施例６の構成を示す。
なお、図５あるいは図７に対応する機能説明は省略する。
図１１において、（Ａ）はスクリーン張設枠８０の全体図、（Ｂ）は（Ａ）に鎖線円Ｂで示した部分の拡大分解図、（Ｃ）は（Ｂ）に鎖線Ｃで示した部分の断面図である。
【０１５５】
全体図（Ａ）及び拡大分解図（Ｂ）に示すとおり、スクリーン張設枠８０は４本の枠部材８１ａ，８１ｂ，８１ｃ，８１ｄが長方形を形成するように組み合わされ、溶接等の手段により固定的に結合されることにより構成されている。
【０１５６】
４本の枠部材８１ａ，８１ｂ，８１ｃ，８１ｄには各々スクリーン張設治具に形成された契合部材が契合する契合溝８２ａ，８２ｂ，８２ｃ，８２ｄが形成されている。
【０１５７】
枠部材８１ａと枠部材８１ｂの結合部の外側に外側の角から内側の角に向かう巾狭の切り溝８３ａが、枠部材８１ｂと枠部材８１ｃの結合部の外側に外側の角から内側の角に向かう巾狭の切り溝８３ｂが、枠部材８１ｃと枠部材８１ｄの結合部の外側に外側の角から内側の角に向かう巾狭の切り溝８３ｃが、枠部材８１ｄと枠部材８１ａの結合部の外側に外側の角から外側の角に向かう巾狭の切り溝８３ｄが形成されている。
【０１５８】
４本の枠部材８１ａ，８１ｂ，８１ｃ，８１ｄは全て同一の断面形状を有しており、（Ｃ）に断面図を示す枠部材８１ａの一方の面にスクリーン張設治具の契合部材が契合される契合溝８２ａが形成され、対向する面はスクリーンを接着するために平面とされている。
【０１５９】
スクリーン張設枠８０にスクリーンを張設し、張設治具の契合部材を契合溝８２ａ，８２ｂ，８２ｃ，８２ｄに契合させ、張設治具を伸縮させると、スクリーン張設枠８０が拡縮し、スクリーンに対する張力が調整される。
【０１６０】
４本の枠部材８１ａ，８１ｂ，８１ｃ，８１ｄを結合して構成されたスクリーン張設枠８０がスクリーン張設治具，クランプ，バイス等の道具を用いて内側方向に押圧されると、切り溝８３ａ，８３ｂ，８３ｃ．８３ｄの開放端が縮小されることにより、枠部材８１ａ，８１ｂ，８１ｃ，８１ｄは内側に撓んでスクリーン張設枠８０は小さくなる。
【０１６１】
このような状態で、スクリーンを接着等の手段で縮小されたスクリーン張設枠に固着する。
【０１６２】
スクリーンの縮小されたスクリーン張設枠への固着が完全になった状態において、縮小されたスクリーン張設枠へのスクリーン張設治具，クランプ，バイス等による押圧力を開放する。
【０１６３】
縮小されたスクリーン張設枠への押圧力が開放された結果、内側に撓んだ枠部材はいずれも圧縮されない状態の形状に戻ろうとし、切り溝８３ａ，８３ｂ，８３ｃ．８３ｄの開放端が拡開されることにより、枠部材８１ａ，８１ｂ，８１ｃ，８１ｄは外側に拡大してスクリーン張設枠８０は拡張され、拡大したスクリーン張設枠に張設されているスクリーンに張力が付与される。
【０１６４】
この張力は張設治具を用いない状態でも付与されているため、スクリーンを単にスクリーン張設枠に張設した状態でもスクリーンを緊張した状態にしておくことができ、スクリーンがたるむことはない。
【実施例７】
【０１６５】
実施例６に変更を加えた実施例７を図１２に示す。
なお、図５あるいは図７に対応する機能説明は省略する。
図１２において、（Ａ）はスクリーン張設枠９０の全体図、（Ｂ）は（Ａ）に鎖線円Ｂで示した部分の拡大分解図、（Ｃ）は（Ｂ）に鎖線Ｃで示した部分の断面図である。
【０１６６】
全体図（Ａ）及び拡大分解図（Ｂ）に示すとおり、スクリーン張設枠９０は４本の枠部材９１ａ，９１ｂ，９１ｃ，９１ｄが長方形を形成するように組み合わされ、溶接等の手段により固定的に結合されることにより構成されている。
【０１６７】
４本の枠部材９１ａ，９１ｂ，９１ｃ，９１ｄには各々スクリーン張設治具に形成された契合部材が契合する契合溝９２ａ，９２ｂ，９２ｃ，９２ｄが形成されている。
【０１６８】
枠部材９１ａと枠部材９１ｂの結合部の外側に外側の角から内側の角に向かう巾狭の斜めの切り溝９３ａが、枠部材９１ｂと枠部材９１ｃの結合部の外側に外側の角から内側の角に向かう巾狭の斜めの切り溝９３ｂが、枠部材９１ｃと枠部材９１ｄの結合部の外側に外側の角から内側の角に向かう巾狭の斜めの９３ｃが、枠部材９１ｄと枠部材９１ａの結合部の外側に外側の角から内側の角に向かう巾狭の斜めの切り溝９３ｄが形成されている。
【０１６９】
さらに、枠部材９１ａには枠部材９１ｂとの結合部の内側から外側に垂直に向かう巾狭の切り溝９４ａｂ及び枠部材９１ｄとの結合部の内側から外側に垂直に向かう巾狭の切り溝９４ａｄが、枠部材９１ｂには枠部材９１ａとの結合部の内側から外側に垂直に向かう巾狭の切り溝９４ｂａ及び枠部材９１ｃとの結合部の内側から外側に垂直に向かう巾狭の切り溝９４ｂｃが、枠部材９１ｃには枠部材９１ｂとの結合部の内側から外側に垂直に向かう巾狭の切り溝９４ｃｂ及び枠部材９１ｄとの結合部の内側から外側に垂直に向かう巾狭の切り溝９４ｃｄが、枠部材９１ｄには枠部材９１ｃとの結合部の内側から外側に垂直に向かう巾狭の切り溝９４ｄｃ及び枠部材９１ａとの結合部の内側から外側に垂直に向かう巾狭の切り溝９４ｄａが、各々形成されている。
【０１７０】
４本の枠部材９１ａ，９１ｂ，９１ｃ，９１ｄは全て同一の断面形状を有しており、（Ｃ）に断面図を示す枠部材９１ａの一方の面にはスクリーン張設治具の契合部材が契合される契合溝９２ａが形成され、対向する面はスクリーンを接着するために平面とされている。
【０１７１】
スクリーン張設枠９０にスクリーンを張設し、張設治具の契合部材を契合溝９２ａ，９２ｂ，９２ｃ，９２ｄに契合させ、張設治具を伸縮させると、スクリーン張設枠９０が拡縮し、スクリーンに対する張力が調整される。
【０１７２】
４本の枠部材９１ａ，９１ｂ，９１ｃ，９１ｄを結合して構成されたスクリーン張設枠９０がスクリーン張設治具，クランプ，バイス等の道具を用いて内側方向に押圧されると、外側に形成された切り溝９３ａ，９３ｂ，９３ｃ．９３ｄの開放端が拡開され、内側に形成された切り溝９４ａｂ，９４ｂａ，９４ｂｃ．９４ｃｂ，９４ｃｄ，９４ｄｃ，９４ｄａ．９４ａｄの開放端が縮小されることにより、枠部材９１ａ，９１ｂ，９１ｃ，９１ｄは内側に撓んでスクリーン張設枠１０は小さくなる。
【０１７３】
このような状態で、スクリーンを接着等の手段で縮小されたスクリーン張設枠に固着する。
【０１７４】
スクリーンの縮小されたスクリーン張設枠への固着が完全になった状態において、縮小されたスクリーン張設枠へのスクリーン張設治具，クランプ，バイス等による押圧力を開放する。
【０１７５】
縮小されたスクリーン張設枠への押圧力が開放された結果、内側に撓んだ枠部材はいずれも圧縮されない状態の形状に戻ろうとし、切り溝９３ａ，９３ｂ，９３ｃ．９３ｄの開放端が縮小され、切り溝９４ａｂ，９４ｂａ，９４ｂｃ．９４ｃｂ，９４ｃｄ，９４ｄｃ，９４ｄａ．９４ａｄの開放端が拡開小されることにより、枠部材９１ａ，９１ｂ，９１ｃ，９１ｄは内側に拡大してスクリーン張設枠９０は拡張され、拡大したスクリーン張設枠に張設されているスクリーンに張力が付与される。
【０１７６】
この張力は張設治具を用いない状態でも付与されているため、スクリーンを単にスクリーン張設枠に張設した状態でもスクリーンを緊張した状態にしておくことができ、スクリーンがたるむことはない。
【０１７７】
切り溝９３ａ，９３ｂ，９３ｃ，９３ｄ，９４ａｂ，９４ｂａ，９４ｂｃ，９４ｃｂ，９４ｃｄ，９４ｄｃ，９４ｄａ，９４ａｄ内に天然ゴムあるいは合成ゴムのような中実の弾性体あるいは板バネあるいはコイルバネのような非中実のバネを挿入して開放端の保護及び弾性を補足することも可能である。
【実施例８】
【０１７８】
実施例６に変更を加えた他の実施例８を図１３に示す。
なお、図５あるいは図７に対応する機能説明は省略する。
図１３において、（Ａ）はスクリーン張設枠１００の全体図、（Ｂ）は（Ａ）に鎖線円Ｂで示した部分の拡大分解図、（Ｃ）は（Ｂ）に鎖線Ｃで示した部分の断面図である。
【０１７９】
全体図（Ａ）及び拡大分解図（Ｂ）に示すとおり、スクリーン張設枠１００は４本の枠部材１０１ａ，１０１ｂ，１０１ｃ，１０１ｄが長方形を形成するように組み合わされ、溶接等の手段により固定的に結合されることにより構成されている。
【０１８０】
４本の枠部材１０１ａ，１０１ｂ，１０１ｃ，１０１ｄには各々スクリーン張設治具に形成された契合部材が契合する契合溝１０２ａ，１０２ｂ，１０２ｃ，１０２ｄが形成されている。
【０１８１】
枠部材１０１ａと枠部材１０１ｂの結合部の外側に外側の角から内側の角に向かう巾狭の斜めの１０３ａが、枠部材１０１ｂと枠部材１０１ｃの結合部の外側に外側の角から内側の角に向かう巾狭の斜めの１０３ｂが、枠部材１０１ｃと枠部材１０１ｄの結合部の外側に外側の角から内側の角に向かう巾狭の斜めの１０３ｃが、枠部材１０１ｄと枠部材１０１ａの結合部の外側に外内側の角から内側の角に向かう巾狭の斜めの１０３ｄが形成されている。
【０１８２】
さらに、枠部材１０１ａには枠部材１０１ｂとの結合部の外側から内側に向かう垂直の切り溝１０４ａｂ及び枠部材１０１ｄとの結合部の外側から内側に向かう垂直の切り溝１０４ａｄが、枠部材１０１ｂには枠部材１０１ａとの結合部の外側から内側に向かう垂直の切り溝１０４ｂａ及び枠部材１０１ｃとの結合部の外側から内側に向かう垂直の切り溝１０４ｂｃが、枠部材１０１ｃには枠部材１０１ｂとの結合部の外側から内側に向かう垂直の切り溝１０４ｃｂ及び枠部材１０１ｄとの結合部の外側から内側に向かう垂直の切り溝１０４ｃｄが、枠部材１０１ｄには枠部材１０１ｃとの結合部の外側から内側に向かう垂直の切り溝１０４ｄｃ及び枠部材１０１ａとの結合部の外側から内側に向かう垂直の切り溝１０４ｄａが、各々形成されている。
【０１８３】
４本の枠部材１０１ａ，１０１ｂ，１０１ｃ，１０１ｄは全て同一の断面形状を有しており、（Ｃ）に断面図を示す枠部材１０１ａの一方の面にはスクリーン張設治具の契合部材が契合される契合溝１０２ａが形成され、対向する面はスクリーンを接着するために平面とされている。
【０１８４】
スクリーン張設枠１００にスクリーンを張設し、張設治具の契合部材を契合溝１０２ａ，１０２ｂ，１０２ｃ，１０２ｄに契合させ、張設治具を伸縮させると、スクリーン張設枠１００が拡縮し、スクリーンに対する張力が調整される。
【０１８５】
４本の枠部材１０１ａ，１０１ｂ，１０１ｃ，１０１ｄを結合して構成されたスクリーン張設枠１００がスクリーン張設治具，クランプ，バイス等の道具を用いて内側方向に押圧されると、切り溝１０３ａ，１０３ｂ，１０３ｃ．１０３ｄの開放端が拡開され、切り溝１０４ａｂ，１０４ｂａ，１０４ｂｃ．１０４ｃｂ，１０４ｃｄ，１０４ｄｃ，１０４ｄａ．１０４ａｄの開放端が縮小されることにより、枠部材１０１ａ，１０１ｂ，１０１ｃ，１０１ｄは内側に撓んでスクリーン張設枠１００は小さくなる。
【０１８６】
このような状態で、スクリーンを接着等の手段で縮小されたスクリーン張設枠に固着する。
【０１８７】
スクリーンの縮小されたスクリーン張設枠への固着が完全になった状態において、縮小されたスクリーン張設枠へのスクリーン張設治具，クランプ，バイス等による押圧力を開放する。
【０１８８】
縮小されたスクリーン張設枠への押圧力が開放された結果、内側に撓んだ枠部材はいずれも圧縮されない状態の形状に戻ろうとし、切り溝１０３ａ，１０３ｂ，１０３ｃ．１０３ｄの開放端が縮小され、切り溝１０４ａｂ，１０４ｂａ，１０４ｂｃ．１０４ｃｂ，１０４ｃｄ，１０４ｄｃ，１０４ｄａ．１０４ａｄの開放端が縮小されることにより、枠部材１０１ａ，１０１ｂ，１０１ｃ，１０１ｄは外に拡大してスクリーン張設枠１００は拡張され、拡大したスクリーン張設枠に張設されているスクリーンに張力が付与される。
【０１８９】
この張力は張設治具を用いない状態でも付与されているため、スクリーンを単にスクリーン張設枠に張設した状態でもスクリーンを緊張した状態にしておくことができ、スクリーンがたるむことはない。
【０１９０】
切り溝１０３ａ，１０３ｂ，１０３ｃ，１０３ｄ，１０４ａｂ，１０４ｂａ，１０４ｂｃ，１０４ｃｂ，１０４ｃｄ，１０４ｄｃ，１０４ｄａ，１０４ａｄ内に天然ゴムあるいは合成ゴムのような中実の弾性体あるいは板バネあるいはコイルバネのような非中実のバネを挿入して開放端の保護及び弾性を補足することも可能である。
【実施例９】
【０１９１】
実施例６に変更を加えた他の実施例９を図１４に示す。
なお、図５あるいは図７に対応する機能説明は省略する。
図１４において、（Ａ）はスクリーン張設枠１１０の全体図、（Ｂ）は（Ａ）に鎖線円Ｂで示した部分の拡大分解図、（Ｃ）は（Ｂ）に鎖線Ｃで示した部分の断面図である。
【０１９２】
全体図（Ａ）及び拡大分解図（Ｂ）に示すとおり、スクリーン張設枠１１０は４本の枠部材１１１ａ，１１１ｂ，１１１ｃ，１１１ｄが長方形を形成するように組み合わされ、溶接等の手段により固定的に結合されることにより構成されている。
【０１９３】
４本の枠部材１１１ａ，１１１ｂ，１１１ｃ，１１１ｄには各々スクリーン張設治具に形成された契合部材が契合する契合溝１１２ａ，１１２ｂ，１１２ｃ，１１２ｄが形成されている。
【０１９４】
枠部材１１１ａと枠部材１１１ｂの結合部の外側に外側の角から内側の角に向かう巾狭の斜めの１１３ａが、枠部材１１１ｂと枠部材１１１ｃの結合部の外側に外側の角から内側の角に向かう巾狭の斜めの１１３ｂが、枠部材１１１ｃと枠部材１１１ｄの結合部の外側に外側の角から内側の角に向かう巾狭の斜めの１１３ｃが、枠部材１１１ｄと枠部材１１１ａの結合部の外側に外側の角から内側の角に向かう巾狭の斜めの１１３ｄが形成されている。
【０１９５】
さらに、枠部材１１１ａには枠部材１１１ｂとの結合部の内側から外側に向かう巾狭の斜めの１１４ａｂ及び枠部材１１１ｄとの結合部の内側から外側に向かう巾狭の斜めの１１４ａｄが、枠部材１１１ｂには枠部材１１１ａとの結合部の内側から外側に向かう巾狭の斜めの１１４ｂａ及び枠部材１１１ｃとの結合部の内側から外側に向かう巾狭の斜めの１１４ｂｃが、枠部材１１１ｃには枠部材１１１ｂとの結合部の内側から外側に向かう巾狭の斜めの１１４ｃｂ及び枠部材１１１ｄとの結合部の内側から外側に向かう巾狭の斜めの１１４ｃｄが、枠部材１１１ｄには枠部材１１１ｃとの結合部の内側から外側に向かう巾狭の斜めの１１４ｄｃ及び枠部材１１１ａとの結合部の内側から外側に向かう巾狭の斜めの１１４ｄａが、各々形成されている。
【０１９６】
４本の枠部材１１１ａ，１１１ｂ，１１１ｃ，１１１ｄは全て同一の断面形状を有しており、（Ｃ）に断面図を示す枠部材１１１ａの一方の面にはスクリーン張設治具の契合部材が契合される契合溝１１２ａが形成され、対向する面はスクリーンを接着するために平面とされている。
【０１９７】
スクリーン張設枠１１０にスクリーンを張設し、張設治具の契合部材を契合溝１１２ａ，１１２ｂ，１１２ｃ，１１２ｄに契合させ、張設治具を伸縮させると、スクリーン張設枠１１０が拡縮し、スクリーンに対する張力が調整される。
【０１９８】
４本の枠部材１１１ａ，１１１ｂ，１１１ｃ，１１１ｄを結合して構成されたスクリーン張設枠１１０がスクリーン張設治具，クランプ，バイス等の道具を用いて内側方向に押圧されると。外側に形成された切り溝１１３ａ，１１３ｂ，１１３ｃ．１１３ｄの開放端が拡開され、内側に形成された切り溝１１４ａｂ，１１４ｂａ，１１４ｂｃ．１１４ｃｂ，１１４ｃｄ，１１４ｄｃ，１１４ｄａ．１１４ａｄの開放端が縮小されることにより、枠部材１１１ａ，１１１ｂ，１１１ｃ，１１１ｄは内側に撓んでスクリーン張設枠１１０は小さくなる。
【０１９９】
このような状態で、スクリーンを接着等の手段で縮小されたスクリーン張設枠に固着する。
【０２００】
スクリーンの縮小されたスクリーン張設枠への固着が完全になった状態において、縮小されたスクリーン張設枠へのスクリーン張設治具，クランプ，バイス等による押圧力を開放する。
【０２０１】
縮小されたスクリーン張設枠への押圧力が開放された結果、内側に撓んだ枠部材はいずれも圧縮されない状態の形状に戻ろうとし、外側に形成された切り溝１１３ａ，１１３ｂ，１１３ｃ．１１３ｄの開放端が縮小され、内側に形成された切り溝１１４ａｂ，１１４ｂａ，１１４ｂｃ．１１４ｃｂ，１１４ｃｄ，１１４ｄｃ，１１４ｄａ．１１４ａｄの開放端が拡開されることにより、枠部材１１１ａ，１１１ｂ，１１１ｃ，１１１ｄは外側に拡大してスクリーン張設枠１１０は拡張され、拡大したスクリーン張設枠に張設されているスクリーンに張力が付与される。
【０２０２】
この張力は張設治具を用いない状態でも付与されているため、スクリーンを単にスクリーン張設枠に張設した状態でもスクリーンを緊張した状態にしておくことができ、スクリーンがたるむことはない。
【０２０３】
切り溝１１３ａ，１１３ｂ，１１３ｃ，１１３ｄ，１１４ａｂ，１１４ｂａ，１１４ｂｃ，１１４ｃｂ，１１４ｃｄ，１１４ｄｃ，１１４ｄａ，１１４ａｄ内に天然ゴムあるいは合成ゴムのような中実の弾性体あるいは板バネあるいはコイルバネのような非中実のバネを挿入して開放端の保護及び弾性を補足することも可能である。
【実施例１０】
【０２０４】
実施例６に変更を加えた他の実施例１０を図１５に示す。
なお、図５あるいは図７に対応する機能説明は省略する。
図１５において、（Ａ）はスクリーン張設枠１２０の全体図、（Ｂ）は（Ａ）に鎖線円Ｂで示した部分の拡大分解図、（Ｃ）は（Ｂ）に鎖線Ｃで示した部分の断面図である。
【０２０５】
全体図（Ａ）及び拡大分解図（Ｂ）に示すとおり、スクリーン張設枠１２０は４本の枠部材１２１ａ，１２１ｂ，１２１ｃ，１２１ｄが長方形を形成するように組み合わされ、溶接等の手段により固定的に結合されることにより構成されている。
【０２０６】
４本の枠部材１２１ａ，１２１ｂ，１２１ｃ，１２１ｄには各々スクリーン張設治具に形成された契合部材が契合する契合溝１２２ａ，１２２ｂ，１２２ｃ，１２２ｄが形成されている。
【０２０７】
さらに、枠部材１２１ａと枠部材１２１ｂの結合部の外側に外側の角から内側の角に向かう巾狭の斜めの切り溝１２３ａが、枠部材１２１ｂと枠部材１２１ｃの結合部の外側に外側の角から内側の角に向かう巾狭の斜めの切り溝１２３ｂが、枠部材１２１ｃと枠部材１２１ｄの結合部の外側に外側の角から内側の角に向かう巾狭の斜めの切り溝１２３ｃが、枠部材１２１ｄと枠部材１２１ａの結合部の外側に外側の角から内側の角に向かう巾狭の斜めの切り溝１２３ｄが形成されている。
【０２０８】
さらに、枠部材１２１ａには枠部材１２１ｂとの結合部の外側から内側に向かう巾狭の斜めの切り溝１２４ａｂ及び枠部材１２１ｄとの結合部の外側から内側に向かう巾狭の斜めの切り溝１２４ａｄが、枠部材１２１ｂには枠部材１２１ａとの結合部の外側から内側に向かう巾狭の斜めの切り溝１２４ｂａ及び枠部材１２１ｃとの結合部の外側から内側に向かう巾狭の斜めの切り溝１２４ｂｃが、枠部材１２１ｃには枠部材１２１ｂとの結合部の外側から内側に向かう巾狭の斜めの切り溝１２４ｃｂ及び枠部材１２１ｄとの結合部の外側から内側に向かう巾狭の斜めの切り溝１２４ｃｄが、枠部材１２１ｄには枠部材１２１ｃとの結合部の外側から内側に向かう巾狭の斜めの切り溝１２４ｄｃ及び枠部材１２１ａとの結合部の外側から内側に向かう巾狭の斜めの切り溝１２４ｄａが、各々形成されている。
【０２０９】
４本の枠部材１２１ａ，１２１ｂ，１２１ｃ，１２１ｄは全て同一の断面形状を有しており、（Ｃ）に断面図を示す枠部材１２１ａの一方の面にはスクリーン張設治具の契合部材が契合される契合溝１２２ａが形成され、対向する面はスクリーンを接着するために平面とされている。
【０２１０】
スクリーン張設枠１２０にスクリーンを張設し、張設治具の契合部材を契合溝１２２ａ，１２２ｂ，１２２ｃ，１２２ｄに契合させ、張設治具を伸縮させると、スクリーン張設枠１２０が拡縮し、スクリーンに対する張力が調整される。
【０２１１】
４本の枠部材１２１ａ，１２１ｂ，１２１ｃ，１２１ｄを結合して構成されたスクリーン張設枠１２０がスクリーン張設治具，クランプ，バイス等の道具を用いて内側方向に押圧されると。切り溝１２３ａ，１２３ｂ，１２３ｃ．１２３ｄ，１２４ａｂ，１２４ｂａ，１２４ｂｃ．１２４ｃｂ，１２４ｃｄ，１２４ｄｃ，１２４ｄａ．１２４ａｄの開放端が拡開されることにより、枠部材１２１ａ，１２１ｂ，１２１ｃ，１２１ｄは内側に撓んでスクリーン張設枠１２０は小さくなる。
【０２１２】
このような状態で、スクリーンを接着等の手段で縮小されたスクリーン張設枠に固着する。
【０２１３】
スクリーンの縮小されたスクリーン張設枠への固着が完全になった状態において、縮小されたスクリーン張設枠へのスクリーン張設治具，クランプ，バイス等による押圧力を開放する。
【０２１４】
縮小されたスクリーン張設枠への押圧力が開放された結果、内側に撓んだ枠部材はいずれも圧縮されない状態の形状に戻ろうとし、切り溝１２３ａ，１２３ｂ，１２３ｃ．１２３ｄ，１２４ａｂ，１２４ｂａ，１２４ｂｃ．１２４ｃｂ，１２４ｃｄ，１２４ｄｃ，１２４ｄａ．１２４ａｄの開放端が縮小されることにより、枠部材１２１ａ，１２１ｂ，１２１ｃ，１２１ｄは外側に拡大してスクリーン張設枠１２０は拡張され、拡大したスクリーン張設枠に張設されているスクリーンに張力が付与される。
【０２１５】
この張力は張設治具を用いない状態でも付与されているため、スクリーンを単にスクリーン張設枠に張設した状態でもスクリーンを緊張した状態にしておくことができ、スクリーンがたるむことはない。
【０２１６】
切り溝１２３ａ，１２３ｂ，１２３ｃ，１２３ｄ，１２４ａｂ，１２４ｂａ，１２４ｂｃ，１２４ｃｂ，１２４ｃｄ，１２４ｄｃ，１２４ｄａ，１２４ａｄ内に天然ゴムあるいは合成ゴムのような中実の弾性体あるいは板バネあるいはコイルバネのような非中実のバネを挿入して開放端の保護及び弾性を補足することも可能である。
【実施例１１】
【０２１７】
実施例１１を図１６に示す。
なお、図５あるいは図７に対応する機能説明は省略する。
図１６において、（Ａ）はスクリーン張設枠１３０の全体図、（Ｂ）は（Ａ）に鎖線円Ｂで示した部分の拡大分解図、（Ｃ）は（Ｂ）に鎖線Ｃで示した部分の断面図である。
【０２１８】
全体図（Ａ）及び拡大分解図（Ｂ）に示すとおり、スクリーン張設枠１３０は４本の枠部材１３１ａ，１３１ｂ，１３１ｃ，１３１ｄが長方形を形成するように組み合わされ、溶接等の手段により固定的に結合されることにより構成されている。
【０２１９】
４本の枠部材１３１ａ，１３１ｂ，１３１ｃ，１３１ｄには各々スクリーン張設治具に形成された契合部材が契合する契合溝１３２ａ，１３２ｂ，１３２ｃ，１３２ｄが形成されている。
【０２２０】
枠部材１３１ａには枠部材１３１ｂとの結合部の外側から内側に垂直に向かう巾狭の切り溝１３４ａｂ及び枠部材１３１ｄとの結合部の外側から内側に垂直に向かう巾狭の切り溝１３４ａｄが、枠部材１３１ｂには枠部材１３１ａとの結合部の外側から内側に垂直に向かう巾狭の切り溝１３４ｂａ及び枠部材１３１ｃとの結合部の外側から内側に垂直に向かう巾狭の切り溝１３４ｂｃが、枠部材１３１ｃには枠部材１３１ｂとの結合部の外側から内側に垂直に向かう巾狭の切り溝１３４ｃｂ及び枠部材１３１ｄとの結合部の外側から内側に垂直に向かう巾狭の切り溝１３４ｃｄが、枠部材１３１ｄには枠部材１３１ｃとの結合部の外側から内側に垂直に向かう巾狭の切り溝１３４ｄｃ及び枠部材１３１ａとの結合部の外側から内側に垂直に向かう巾狭の切り溝１３４ｄａが、各々形成されている。
【０２２１】
４本の枠部材１３１ａ，１３１ｂ，１３１ｃ，１３１ｄは全て同一の断面形状を有しており、（Ｃ）に断面図を示す枠部材１３１ａの一方の面にはスクリーン張設治具の契合部材が契合される契合溝１３２ａが形成され、対向する面はスクリーンを接着するために平面とされている。
【０２２２】
スクリーン張設枠１３０にスクリーンを張設し、張設治具の契合部材を契合溝１３２ａ，１３２ｂ，１３２ｃ，１３２ｄに契合させ、張設治具を伸縮させると、スクリーン張設枠１３０が拡縮し、スクリーンに対する張力が調整される。
【０２２３】
４本の枠部材１３１ａ，１３１ｂ，１３１ｃ，１３１ｄを結合して構成されたスクリーン張設枠１３０がスクリーン張設治具，クランプ，バイス等の道具を用いて内側方向に押圧されると。外側に形成された切り溝１３４ａｂ，１３４ｂａ，１３４ｂｃ．１３４ｃｂ，１３４ｃｄ，１３４ｄｃ，１３４ｄａ．１３４ａｄの開放端も縮小されることにより、枠部材１３１ａ，１３１ｂ，１３１ｃ，１３１ｄは内側に撓んでスクリーン張設枠１３０は小さくなる。
【０２２４】
このような状態で、スクリーンを接着等の手段で縮小されたスクリーン張設枠に固着する。
【０２２５】
スクリーンの縮小されたスクリーン張設枠への固着が完全になった状態において、縮小されたスクリーン張設枠へのスクリーン張設治具，クランプ，バイス等による押圧力を開放する。
【０２２６】
縮小されたスクリーン張設枠への押圧力が開放された結果、内側に撓んだ枠部材はいずれも圧縮されない状態の形状に戻ろうとし、外側に形成された切り溝１３４ａｂ，１３４ｂａ，１３４ｂｃ．１３４ｃｂ，１３４ｃｄ，１３４ｄｃ，１３４ｄａ．１３４ａｄの開放端も拡開されることにより、枠部材１３１ａ，１３１ｂ，１３１ｃ，１３１ｄは外側に拡大してスクリーン張設枠１１０は拡張され、拡大したスクリーン張設枠に張設されているスクリーンに張力が付与される。
【０２２７】
この張力は張設治具を用いない状態でも付与されているため、スクリーンを単にスクリーン張設枠に張設した状態でもスクリーンを緊張した状態にしておくことができ、スクリーンがたるむことはない。
【０２２８】
切り溝１３４ａｂ，１３４ｂａ，１３４ｂｃ．１３４ｃｂ，１３４ｃｄ，１３４ｄｃ，１３４ｄａ．１３４ａｄ内に天然ゴムあるいは合成ゴムのような中実の弾性体あるいは板バネあるいはコイルバネのような非中実のバネを挿入して開放端の保護及び弾性を補足することも可能である。
【実施例１２】
【０２２９】
実施例１２を図１７に示す。
なお、図５あるいは図７に対応する機能説明は省略する。
この図において、（Ａ）はスクリーン張設枠１４０の全体図、（Ｂ）は（Ａ）に鎖線円Ｂで示した部分の拡大分解図、（Ｃ）は（Ｂ）に鎖線Ｃで示した部分の断面図である。
【０２３０】
全体図（Ａ）及び拡大分解図（Ｂ）に示すとおり、スクリーン張設枠１４０は４本の枠部材１４１ａ，１４１ｂ，１４１ｃ，１４１ｄが長方形を形成するように組み合わされ、溶接等の手段により固定的に結合されることにより構成されている。
【０２３１】
４本の枠部材１４１ａ，１４１ｂ，１４１ｃ，１４１ｄには各々スクリーン張設治具に形成された契合部材が契合する契合溝１４２ａ，１４２ｂ，１４２ｃ，１４２ｄが形成されている。
【０２３２】
枠部材１４１ａには枠部材１４１ｂとの結合部の内側から外側に垂直に向かう巾狭の切り溝１４４ａｂ及び枠部材１４１ｄとの結合部の内側から外側に垂直に向かう巾狭の切り溝１４４ａｄが、枠部材１４１ｂには枠部材１４１ａとの結合部の内側から外側に垂直に向かう巾狭の切り溝１４４ｂａ及び枠部材１４１ｃとの結合部の内側から外側に垂直に向かう巾狭の切り溝１４４ｂｃが、枠部材１４１ｃには枠部材１４１ｂとの結合部の内側から外側に垂直に向かう巾狭の切り溝１４４ｃｂ及び枠部材１４１ｄとの結合部の内側から外側に垂直に向かう巾狭の切り溝１４４ｃｄが、枠部材１４１ｄには枠部材１４１ｃとの結合部の内側から外側に垂直に向かう巾狭の切り溝１４４ｄｃ及び枠部材１４１ａとの結合部の内側から外側に垂直に向かう巾狭の切り溝１４４ｄａが、各々形成されている。
【０２３３】
４本の枠部材１４１ａ，１４１ｂ，１４１ｃ，１４１ｄは全て同一の断面形状を有しており、（Ｃ）に断面図を示す枠部材１４１ａの一方の面にはスクリーン張設治具の契合部材が契合される契合溝１４２ａが形成され、対向する面はスクリーンを接着するために平面とされている。
【０２３４】
スクリーン張設枠１４０にスクリーンを張設し、張設治具の契合部材を契合溝１４２ａ，１４２ｂ，１４２ｃ，１４２ｄに契合させ、張設治具を伸縮させると、スクリーン張設枠１４０が拡縮し、スクリーンに対する張力が調整される。
【０２３５】
４本の枠部材１４１ａ，１４１ｂ，１４１ｃ，１４１ｄを結合して構成されたスクリーン張設枠１４０がスクリーン張設治具，クランプ，バイス等の道具を用いて内側方向に押圧されると、内側に形成された切り溝１４３ａｂ，１４３ｂａ，１４３ｂｃ．１４３ｃｂ，１４３ｃｄ，１４３ｄｃ，１４３ｄａ．１４３ａｄの開放端が縮小されることにより、枠部材１４１ａ，１４１ｂ，１４１ｃ，１４１ｄは内側に撓んでスクリーン張設枠１４０は小さくなる。
【０２３６】
このような状態で、スクリーンを接着等の手段で縮小されたスクリーン張設枠に固着する。
【０２３７】
スクリーンの縮小されたスクリーン張設枠への固着が完全になった状態において、縮小されたスクリーン張設枠へのスクリーン張設治具，クランプ，バイス等による押圧力を開放する。
【０２３８】
縮小されたスクリーン張設枠への押圧力が開放された結果、内側に撓んだ枠部材はいずれも圧縮されない状態の形状に戻ろうとし、内側に形成された切り溝１４４ａｂ，１４４ｂａ，１４４ｂｃ．１４４ｃｂ，１４４ｃｄ，１４４ｄｃ，１４４ｄａ．１４４ａｄの開放端も拡開されることにより、枠部材１４１ａ，１４１ｂ，１４１ｃ，１４１ｄは外側に拡大してスクリーン張設枠１４０は拡張され、拡大したスクリーン張設枠に張設されているスクリーンに張力が付与される。
【０２３９】
この張力は張設治具を用いない状態でも付与されているため、スクリーンを単にスクリーン張設枠に張設した状態でもスクリーンを緊張した状態にしておくことができ、スクリーンがたるむことはない。
【０２４０】
切り溝１４４ａｂ，１４４ｂａ，１４４ｂｃ．１４４ｃｂ，１４４ｃｄ，１４４ｄｃ，１４４ｄａ．１４４ａｄ内に天然ゴムあるいは合成ゴムのような中実の弾性体あるいは板バネあるいはコイルバネのような非中実のバネを挿入して開放端の保護及び弾性を補足することも可能である。
【０２４１】
図４〜図１７を用いて説明した実施例１〜１２では、枠部材が中実体である枠部材の結合部近傍の巾方向に切り溝を形成することにより柔軟性を得ていたが、図１８〜図２５に示す実施例１３〜実施例２０では、中実体スクリーン張設枠の結合部の柔軟性を結合部付近の両面に厚さ方向に形成した溝により柔軟性を得る。
【実施例１３】
【０２４２】
図１８に示した実施例１３では（ａ）に示すように、中実体である枠部材の結合部の外角部と内角部を結ぶ方向に、一方の面には２本、他方の面に１本の溝が形成されている。
これらの溝により（ｂ）に断面を示す形状の折れ曲がった柔軟部が構成される。
【実施例１４】
【０２４３】
図１９に示した実施例１４では（ａ）に示すように、中実体である枠部材の結合部の外角部と内角部を結ぶ方向に、一方の面には２本、他方の面に３本の溝が形成されている。
このように溝を数を増やすことにより、（ｂ）に断面を示す柔軟部はより大きな効果を発揮する。
【実施例１５】
【０２４４】
図２０に示した実施例１５では、中実体である枠部材の結合部付近に巾方向の、一方の面にはそれぞれ２本、他方の面にそれぞれ１本の溝が形成されている。
これらの溝により折れ曲がった柔軟部が構成される。
【０２４５】
図２１，図２２で説明する実施例１６，実施例１７では、中実体スクリーン張設枠の結合部の柔軟性を結合部に形成された貫通孔により得る。
【実施例１６】
【０２４６】
図２１に示した実施例１６では、中実体である枠部材の結合部の外角部と内角部を結ぶ方向に沿って方形の貫通孔が形成されている。
【実施例１７】
【０２４７】
図２２に示した実施例１７では、中実体である枠部材の結合部の外角部と内角部を結ぶ方向に沿って方形の貫通孔が形成されており、貫通孔の形状は入列方向に沿って長くされている。
【０２４８】
図２３〜図２５で説明する実施例１８〜実施例２０では、中空体スクリーン張設枠の結合部の柔軟性を結合部に形成された切り溝により得る。
【０２４９】
枠に応力を掛け、その反発力を利用してスクリーンを張設すると枠辺が、たわみ、反発力が発生する。
たわみの反発力は枠辺の中心が最も顕著であるが、枠の結合部付近に近ずくほど反発力はが小さい。
他の構成でも同様であり、対策が無い場合はコーナー付近に皺が出来る。
【実施例１８】
【０２５０】
図２３に示した実施例１８では、方形の中空体である枠部材の結合部付近に巾方向の、両面にそれぞれ１本の切り込みが形成されている。
これらの切り込みにより折れ曲がった柔軟部が構成される。
【実施例１９】
【０２５１】
図２４に示した実施例１９では、方形の中空体である枠部材の結合部付近に巾方向の、一方の面にはそれぞれ２本、他方の面にそれぞれ１本の切り込みが形成されている。
これらの溝により折れ曲がった柔軟部が構成される。
【実施例２０】
【０２５２】
図２５に示した実施例２０では、枠部材がスクリーンが取り付けられる平面を  有する中空体とスクリーンが取り付けられない平面を有する中空体とからなる２層の中空体から構成されており、その内の一方の中空体にのみ切り込みが形成されている。
【０２５３】
この枠は切り込みにより上半分が菱形に変形し、結合部付近に元に戻ろうとする反発力が生まれるので、結合部付近にも張力を掛けることが出来るため、全体に均一に張設出来る。また、下半分には切り込みを入れていないので、下半分は強度のある枠を構成する。
【０２５４】
その場合、２層の中空体の上半分の垂直部分の肉厚を薄く、２層の中空体の下半分の垂直部分の肉厚を厚くすると効果が大きい。
【０２５５】
枠辺の強度を低下させて、変形し易くするために中空体の上半分に枠辺の厚さ方向の壁面に切り込み部あるいは貫通孔を形成する。
【０２５６】
このようにして、上部枠辺の厚さ方向の壁面の強度を低下させることにより、変形易くなるので、結合部付近にも張力を掛けることができ、全体に均一に張設出来る。
【０２５７】
枠辺の下半分には切り込みや貫通孔を入れていないので、下半分は強度のある枠が構成され、２層の中空体の上半分の垂直部分の肉厚を薄く、２層の中空体の下半分の垂直部分の肉厚を厚くしたのと同じと効果がある。
【０２５８】
図２６〜２７を用いて説明する実施例２０では、スクリーン張設枠部材の端部の構造により、スクリーン張設枠を構成する枠材自身の弾性を利用してスクリーン張設枠を撓ませる。
【実施例２１】
【０２５９】
図２６に示す実施例２１は、図２に示した先行技術にこの出願の発明を適用したものである。また、図２７によりこの実施例の機能を説明する。
図２６において、（Ａ）はスクリーン張設枠１５０の全体図、（Ｂ）は（Ａ）に鎖線円Ｂで示した部分の拡大分解図、（Ｃ）は（Ｂ）に鎖線Ｃで示した部分の断面図である。
【０２６０】
スクリーン張設枠１５０は平行する２本の枠部材１５１ａ，１５１ｃとこれらの枠部材と直交して配置され、同様に平行である２本の枠部材１５１ｂ，１５１ｄ、これらの４本の枠部材を結合する４個のコーナー部材１５３ａ，１５３ｂ，１５３ｃ，１５３ｄから構成されている。なお、４個のコーナー部材中１５３ａのみが（Ｂ）に示されている。
【０２６１】
４本の枠部材１５１ａ，１５１ｂ，１５１ｃ，１５１ｄの例として示す枠部材１５１ａ，１５１ｂの両端はその長さ方向に対してスクリーン張設枠１５０の内側に向かう４５°よりも少し小さな角度、例えば４２°、の傾斜面１５７ａ，１５７ｂを有している。
そのため、４本の枠部材１５１ａ，１５１ｂ，１５１ｃ，１５１ｄの両端は完全に１つの面で接するのではなく、（Ａ）に示したように枠の内側には４°の間隙１５８ａ，１５８ｂ，１５８ｃ及び１５８ｄが存在している。
なお、この間隙の角度は４°に限定されるものではない。
【０２６２】
４本の枠部材１５１ａ，１５１ｂ，１５１ｃ，１５１ｄは全て（Ｃ）に代表例を示す断面形状を有しており、例として示す枠部材１５１ａは内部に嵌挿孔１５５ａが形成され、一方の面にスクリーン張設治具の契合部材が契合される契合溝１５２ａが形成され、対向する面はスクリーンを接着するために平面とされている。
【０２６３】
コーナー部材１５３ａは、Ｌ字形に直交する２個の舌片１５６ａ及び１５６ｂから構成されており、舌片１５６ａ及び１５６ｂの断面形状は各々枠部材１５１ａの嵌挿孔１５６ａ及び枠部材１５１ｂの嵌挿孔１５６ｂに各々余裕を持って嵌挿可能かつ摺動可能な断面形状を有している。
【０２６４】
舌片１５６ａが嵌挿孔１５６ｂに白矢印方向に嵌挿され、舌片１５６ｂが嵌挿孔１５６ｂに白矢印方向に嵌挿され、このようにして４個の枠部材１５１ａ，１５１ｂ，１５１ｃ，１５１ｄと４個のコーナー部材１５３ａ，１５３ｂ，１５３ｃ，１５３ｄが組み立てられることにより間隙１５８ａ，１５８ｂ，１５８ｃ，１５８ｄを有するスクリーン張設枠１５０が構成される。
【０２６５】
スクリーン張設枠１５０にスクリーンを張設し、張設治具の契合部材を契合溝１５２ａ，１５２ｂ，１５２ｃ，１５２ｄに契合させ、張設治具を伸縮させると嵌挿孔に嵌挿された舌片が嵌挿孔内を摺動することにより、スクリーン張設枠１５０が拡縮し、スクリーンに対する張力が付与される。
【０２６６】
図２７により、図２５に示したスクリーン張設枠の機能を説明する。
この図において、（Ａ）はスクリーンを張設する前のスクリーン張設枠の状態、（Ｂ）はスクリーンを張設する直前のスクリーン張設枠の状態である。
【０２６７】
（Ａ）に示したスクリーン張設枠１５０は図３により説明したものと同じなので特に説明はしない。
【０２６８】
（Ｂ）に示したように、４本の枠部材１５１ａ，１５１ｂ，１５１ｃ，１５１ｄと図示しない４個のコーナー部材１５３ａ，１５３ｂ，１５３ｃ，１５３ｄを組み立てて構成されたスクリーン張設枠１５０に図示しないスクリーン張設治具，クランプ，バイス等の道具を用いて黒矢印方向に押圧される。
【０２６９】
その結果、各枠部材の外側端は変形し、枠部材１５１ａと１５１ｂとの間の間隙１５８ａ，枠部材１５１ｂと１５１ｃの間の間隙１５８ｂ，枠部材１５１ｃと１５１ｄの間の間隙１５８ｃ，枠部材１５１ｄと１５１ａの間の間隙１５８ｄは、間隙１５８ａ′，１５８ｂ′，１５８ｃ′及び１５８ｄ′に縮小あるいは消滅し、各枠部材は１５１ａ′，１５１ｂ′，１５１ｃ′，１５１ｄ′として示すように内側に縮小する。
【０２７０】
このようにして各間隙が縮小あるいは消滅し、その結果スクリーン張設枠１５０′の形状が内側に撓んだ状態で、スクリーンを接着等の手段でスクリーン張設枠１５０′に固着する。
【０２７１】
スクリーンのスクリーン張設枠１５０′への固着が完全になった状態において、スクリーン張設枠１５０′へのスクリーン張設治具，クランプ，バイス等による押圧力を開放する。
【０２７２】
押圧力から開放された枠部材１５１ａ′，１５１ｂ′，１５１ｃ′，１５１ｄ′は自身の弾性により元の撓んでいない状態に戻ろうとする。
その結果、張設されたスクリーンに張力が付与される。
【０２７３】
また、間隙１５８ａ，１５８ｂ，１５８ｃ，１５８ｄに図６に示す実施例２に示した天然ゴムあるいは合成ゴム等の中実弾性体あるいは板・線条等のバネを嵌装することにより、スクリーンに対する張力付与の能力をさらに高めることもできる。
【０２７４】
この張力は張設治具を用いていない状態でも付与されているため、スクリーンを単にスクリーン張設枠に張設した状態でもスクリーンを緊張した状態にしておくことができ、スクリーンがたるむことはなく、スクリーン張設治具を使用しなくても印刷が可能である。
【実施例２２】
【０２７５】
図２８に示す実施例２２は、実施例２１と同様に図３に示した先行技術にこの出願の発明を適用したものである。また、図２９によりこの実施例の機能を説明する。
この図において、（Ａ）はスクリーン張設枠１６０の全体図、（Ｂ）は（Ａ）に鎖線円Ｂで示した部分の拡大分解図、（Ｃ）は（Ｂ）に鎖線Ｃで示した部分の断面図である。
【０２７６】
スクリーン張設枠１６０は平行する２本の枠部材１６１ａ，１６１ｃとこれらの枠部材と直交して配置され、同様に平行である２本の枠部材１６１ｂ，１６１ｄ、これらの４本の枠部材を結合する４個のコーナー部材１６３ａ，１６３ｂ，１６３ｃ，１６３ｄから構成されている。
なお、４個のコーナー部材中１６３ａのみが（Ｂ）に示されている。
【０２７７】
４本の枠部材１６１ａ，１６１ｂ，１６１ｃ，１６１ｄには各々スクリーン張設治具に形成された契合部材が契合する契合溝１６２ａ，１６２ｂ，１６２ｃ，１６２ｄが形成されている。
【０２７８】
４本の枠部材１６１ａ，１６１ｂ，１６１ｃ，１６１ｄは全て同一の断面形状を有しており、（Ｂ）に代表例を示す枠部材１６１ａは内部に嵌挿孔４６ａが形成され、一方の面にスクリーン張設治具の契合部材が契合される契合溝１６２ａが形成され、反対側の面はスクリーンを接着するために平面とされている。
４本の枠部材１６１ａ，１６１ｂ，１６１ｃ，１６１ｄの両端はその長さ方向に対してスクリーン張設枠１６０の内側に傾斜した、例えば４５°、の傾斜面を有している。
【０２７９】
４個のコーナー部材１６３ａ，１６３ｂ，１６３ｃ，１６３ｄは全て同一の形状を有しており、（Ｂ）に代表例を示す１６３ａはＬ字形に直交する２個の舌片１６６ａ及び１６６ｂから構成されており、舌片１６６ａ及び１６６ｂの断面形状は各々枠部材１６１ａの嵌挿孔１６５ａ及び枠部材１６１ｂの嵌挿孔１６５ｂに嵌挿可能かつ摺動可能な断面形状を有している。
【０２８０】
舌片１６６aが枠部材１６１ａの嵌挿孔１６５ｂに矢印方向に嵌挿され、舌片１６６ｂが枠部材１６１ｂの嵌挿孔４５ｂに矢印方向に嵌挿され、このようにして４本の枠部材１６１ａ，１６１ｂ，１６１ｃ，１６１ｄと４個のコーナー部材１６３ａ，１６３ｂ，１６３ｃ，１６３ｄが組み立てられることによりスクリーン張設枠１６０が構成される。
【０２８１】
スクリーン張設枠１６０にスクリーンを張設し、張設治具の契合部材を契合溝１６２ａ，１６２ｂ，１６２ｃ，１６２ｄに契合させ、張設治具を拡縮させると、嵌挿孔に嵌挿された舌片が嵌挿孔内を摺動することにより、スクリーン張設枠１６０が拡縮し、スクリーンに張力が付与される。
【０２８２】
（Ｂ）に示したように、コーナー部材１６３ａの舌片１６６ａ及び１６６ｂが直交する位置に弾性体１６７ａが装着されている。
（Ａ）には弾性体１６７ａとともに他の弾性体１６８ｂ，１６８ｃ，１６８ｄも示してある。
【０２８３】
装着される弾性体はゴムのような中実の弾性体、板バネあるいはコイルバネのような中空の弾性体が使用可能である。
【０２８４】
また、弾性体１６７ａは舌片１６６ａから装着されるものと舌片１６６ｂから装着されるものとの２つに分割すると、装着が容易である。
【０２８５】
図２９により、スクリーン張設枠１６０の機能を説明する。
この図において、（Ａ）はスクリーンを張設する前のスクリーン張設枠の状態、（Ｂ）はスクリーンを張設する直前のスクリーン張設枠の状態である。
【０２８６】
（Ａ）に示したスクリーン張設枠１６０は図３により説明したものと同じなので特に説明はしない。
【０２８７】
（Ｂ）に示したように、４本の枠部材１６１ａ，１６１ｂ，１６１ｃ，１６１ｄと図示しない４個のコーナー部材１６３ａ，１６３ｂ，１６３ｃ，１６３ｄを組み立てて構成されたスクリーン張設枠１６０は図示しないスクリーン張設治具，クランプ，バイス等の道具を用いて黒矢印方向に押圧される。
【０２８８】
そのため、コーナー部材１６３ａに装着された弾性体１６７ａ′，コーナー部材１６３ｂに装着された弾性体１６７ｂ′，コーナー部材１６３ｃに装着された弾性体１６７ｃ′，コーナー部材１６３ｄに装着された弾性体１６７ｄ′は、いずれも圧縮された状態とされる。
【０２８９】
このようにして各弾性体が圧縮された結果、スクリーン張設枠１６０は縮小されたスクリーン張設枠１６０′となる。この状態で、スクリーンを接着等の手段でスクリーン張設枠１６０′に固着する。
【０２９０】
スクリーンの縮小されたスクリーン張設枠１６０′への固着が完全になった状態において、縮小されたスクリーン張設枠１６０′へのスクリーン張設治具，クランプ，バイス等による押圧力を開放する。
【０２９１】
押圧力から開放された弾性体１６７ａ′，弾性体１６７ｂ′，弾性体１６７ｃ′，弾性体１６７ｄ′は、いずれも圧縮されない状態の形状に戻ろうとし、クリーン張設枠１６０′は拡大され、拡大したスクリーン張設枠１６０′に張設されているスクリーンに張力が付与される。
【０２９２】
この張力は張設治具を用いない状態でも付与されているため、スクリーンを単にスクリーン張設枠に張設した状態でもスクリーンを緊張した状態にしておくことができ、スクリーンがたるむことはなく、スクリーン張設治具を使用しなくても印刷が可能である。
【実施例２３】
【０２９３】
図３０に示す実施例２３は、図３に示した先行技術にこの出願の発明を適用したものである。また、図３１によりこの実施例の機能を説明する。
この図において、（Ａ）はスクリーン張設枠１７０の全体図、（Ｂ）は（Ａ）に鎖線円Ｂで示した部分の拡大分解図、（Ｃ）は（Ｂ）に鎖線Ｃで示した部分の断面図である。
【０２９４】
スクリーン張設枠１７０は平行する２本の枠部材１７１ａ，１７１ｃとこれらの枠部材と直交して配置され、同様に平行する２本の枠部材１７１ｂ，１７１ｄ、これらの４本の枠部材を結合する４個のコーナー部材１７３ａ，１７３ｂ，１７３ｃ，１７３ｄから構成されている。
【０２９５】
４本の枠部材１７１ａ，１７１ｂ，１７１ｃ，１７１ｄには各々スクリーン張設治具に形成された契合部材が契合する契合溝１７２ａ，１７２ｂ，１７２ｃ，１７２ｄが形成されている。
【０２９６】
４本の枠部材１７１ａ，１７１ｂ，１７１ｃ，１７１ｄは全て同一の断面形状を有しており、（Ｂ）に代表例として示す枠部材１７１ａは、内部に嵌挿孔５５ａが形成され、一方の面にスクリーン張設治具の契合部材が契合される契合溝１７２ａが形成され、対向する面はスクリーンを接着するために平面とされている。
また、４本の枠部材１７１ａ，１７１ｂ，１７１ｃ，１７１ｄの両端はその長さ方向に対して９０°の面を有している。
【０２９７】
４個のコーナー部材１７３ａ，１７３ｂ，１７３ｃ，１７３ｄは全て同一形状を有しており、（Ｂ）に代表例として示すコーナー部材１７３ａは上面が正方形である本体１７４ａに２個の舌片１７６ａ及び１７６ｂが直交して設けられており、舌片１７６ａ及び１７６ｂの断面形状は各々枠部材１７１ａの嵌挿孔１７５ａ及び枠部材１７１ｂの嵌挿孔１７５ｂに各々嵌挿可能かつ摺動可能な断面形状を有している。
【０２９８】
舌片１７６aが枠部材１７１ａの嵌挿孔１７５ｂに矢印方向に嵌挿され、舌片１７６ｂが枠部材１７１ｂの嵌挿孔１７５ｂに矢印方向に嵌挿され、このようにして４本の枠部材１７１ａ，１７１ｂ，１７１ｃ，１７１ｄと４個のコーナー部材１７３ａ，１７３ｂ，１７３ｃ，１７３ｄが組み立てられることによりスクリーン張設枠１７０が構成される。
【０２９９】
スクリーン張設枠１７０にスクリーンを張設し、張設治具の契合部材を契合溝１７２ａ，１７２ｂ，１７２ｃ，１７２ｄに契合させ、張設治具を伸縮させると嵌挿孔に嵌挿された舌片が嵌挿孔内を摺動することにより、スクリーン張設枠１７０が拡縮し、スクリーンに対する張力が調整される。
【０３００】
（Ａ）及び（Ｂ）に示すように、コーナー部材１７３ａと枠部材１７１ａが接する位置の舌片１７６ａに弾性体１７７ａが、コーナー部材１７３ａと枠部材１７１ｂが接する位置の舌片１７６ｂに弾性体１７７ｂが装着されている。
【０３０１】
同様にコーナー部材１７３ｂの２個の舌片には各々弾性体１７８ｂ及び１７８ｃが、コーナー部材１７３ｃの２個の舌片には各々弾性体１７７ｃ及び１７７ｄが、コーナー部材１７３ｄの２個の舌片には各々弾性体１７８ｄ及び１７８ａが装着されている。
装着される弾性体は天然ゴムあるいは合成ゴムのような中実の弾性体、板バネあるいはコイルバネのような中空の弾性体が使用可能である。
【０３０２】
図３０により、スクリーン張設枠１７０の機能を説明する。
この図において、（Ａ）はスクリーンを張設する前のスクリーン張設枠の状態、（Ｂ）はスクリーンを張設する直前のスクリーン張設枠の状態である。
【０３０３】
（Ａ）に示したスクリーン張設枠１７０は図８により説明したものと同じなので特に説明はしない。
【０３０４】
（Ｂ）に示したように、４本の枠部材１７１ａ，１７１ｂ，１７１ｃ，１７１ｄと４個のコーナー部材１７３ａ，１７３ｂ，１７３ｃ，１７３ｄを組み立てて構成されたスクリーン張設枠１７０は図示しないスクリーン張設治具，クランプ，バイス等の道具を用いて黒矢印方向に押圧される。
【０３０５】
そのため、弾性体１７７ａ′，１７７ｂ′，１７８ｂ′，１７８ｃ′，１７７ｃ′，１７７ｄ′，１７８ｄ′，１７８ａ′はいずれも圧縮された状態とされ、その結果スクリーン張設枠１７０は小さくなって、彎曲枠部材１７１ａ′，１７１ｂ′，１７１ｃ′，１７１ｄ′からなる縮小されたスクリーン張設枠１７０′となる。
【０３０６】
このような状態で、スクリーンを接着等の手段で縮小されたスクリーン張設枠１７０′に固着する。
【０３０７】
スクリーンの縮小されたスクリーン張設枠１７０′への固着が完全になった状態において、縮小されたスクリーン張設枠１７０′へのスクリーン張設治具，クランプ，バイス等による押圧力を開放する。
【０３０８】
縮小されたスクリーン張設枠１７０′への押圧力が開放された結果、弾性体１７７ａ′，１７７ｂ′，１７８ｂ′，１７８ｃ′，１７７ｃ′，１７７ｄ′，１７８ｄ′，１７８ａ′はいずれも圧縮されない状態の形状に戻ろうとし、拡大したスクリーン張設枠１７０′は拡張され、拡大したスクリーン張設枠に張設されているスクリーンに張力が付与される。
【０３０９】
この張力は張設治具を用いない状態でも付与されているため、スクリーンを単にスクリーン張設枠に張設した状態でもスクリーンを緊張した状態にしておくことができ、スクリーンがたるむことはなく、スクリーン張設治具を使用しなくても印刷が可能である。
【産業上の利用可能性】
【０３１０】
以上の説明から理解されるように、この出願の発明に係る張設枠によれば、張  設されたスクリーンに対する張力は張設治具を用いない状態でも付与されているため、スクリーンを単にスクリーン張設枠に張設した状態でもスクリーンを緊張した状態にしておくことができ、スクリーンがたるむことはなく、スクリーン張設治具を使用しなくてもスクリーン印刷が可能である。
したがって、保管あるいは輸送において重く嵩張りその上高価なスクリーン張  設治具から取り外してもスクリーンを安全に保管あるいは輸送することが可能になるため、スクリーン印刷に用いるスクリーンの管理に有用である。
【０３１１】
また、スクリーン印刷機にスクリーン張設枠を取り付ける機構及び取り付けられたスクリーン張設枠を拡縮する機構を設けることにより、印刷装置全体の構成を簡素になる。
【符号の説明】
【０３１２】
１  スクリーン張設治具
２  スクリーン張設枠
３  スクリーン
４，１２ａ〜１２ｄ，２２ａ〜２２ｄ，３２ａ〜３２ｄ，４２ａ〜４２ｄ，５２ａ〜５２ｄ，６２ａ〜６２ｄ，７２ａ〜７２ｄ，８２ａ〜８２ｄ，９２ａ〜９２ｄ，１０２ａ〜１０２ｄ，１１２ａ〜１１２ｄ，１２２ａ〜１２２ｄ，１３２ａ〜１３２ｄ  契合溝
５  契合部材
１０，２０，３０，４０，５０，６０，７０，８０，９０，１００，１１０，１２０，１３０，１４０，１５０，１６０，１７０  スクリーン張設枠
１１ａ〜１１ｄ，２１ａ〜２１ｄ，３１ａ〜３１ｄ，４１ａ〜４１ｄ，５１ａ〜５１ｄ，６１ａ〜６１ｄ，７１ａ〜７１ｄ，８１ａ〜８１ｄ，９１ａ〜９１ｄ，１０１ａ〜１０１ｄ，１１１ａ〜１１１ｄ，１２１ａ〜１２１ｄ，１３１ａ〜１３１ｄ，１４１ａ〜１４１ｄ，１５１ａ〜１５１ｄ，１６１ａ〜１６１ｄ，１７１ａ〜１７１ｄ  枠部材
１３ａ，２３ａ〜２３ｄ，１６３a，１７３ａ〜１７３ｄ，４３ａ  コーナー部材
１６７ａ〜１６７ｄ，１７７ａ〜１７７ｄ，１７８ａ〜１７８ｄ  弾性体
３３ａ〜３３ｄ，４３ａ〜４３ｄ，５３ａ〜５３ｄ，６３ａ〜６３ｄ，７３ａ〜７３ｄ，８３ａ〜８３ｄ，９３ａ〜９３ｄ，１０３ａ〜１０３ｄ，１２３ａ〜１２３ｄ  切り溝
【図１】
0006318128.tif 000002
【図２】
0006318128.tif 000003
【図３】
0006318128.tif 000004
【図４】
0006318128.tif 000005
【図５】
0006318128.tif 000006
【図６】
0006318128.tif 000007
【図７】
0006318128.tif 000008
【図８】
0006318128.tif 000009
【図９】
0006318128.tif 000010
【図１０】
0006318128.tif 000011
【図１１】
0006318128.tif 000012
【図１２】
0006318128.tif 000013
【図１３】
0006318128.tif 000014
【図１４】
0006318128.tif 000015
【図１５】
0006318128.tif 000016
【図１６】
0006318128.tif 000017
【図１７】
0006318128.tif 000018
【図１８】
0006318128.tif 000019
【図１９】
0006318128.tif 000020
【図２０】
0006318128.tif 000021
【図２１】
0006318128.tif 000022
【図２２】
0006318128.tif 000023
【図２３】
0006318128.tif 000024
【図２４】
0006318128.tif 000025
【図２５】
0006318128.tif 000026
【図２６】
0006318128.tif 000027
【図２７】
0006318128.tif 000028
【図２８】
0006318128.tif 000029
【図２９】
0006318128.tif 000030
【図３０】
0006318128.tif 000031
【図３１】
0006318128.tif 000032